(57)【特許請求の範囲】
【請求項１】
複数のキャリア信号を受信するために構成された無線通信デバイスであって、
１次アンテナと、
キャリア・アグリゲーションの動作とダイバーシティ／同時ハイブリッド・デュアル受信機の動作の両方のために構成された送受信機チップと、
を備える、１次信号分割キャリア・アグリゲーション・アーキテクチャと、
２次アンテナと、
キャリア・アグリゲーションの動作とダイバーシティ／同時ハイブリッド・デュアル受信機の動作の両方のために構成された受信機チップと、
を備える、２次信号分割キャリア・アグリゲーション・アーキテクチャと、
を備え、
前記送受信機チップが、
送信機と、
第１の１次受信機と、
第１の２次受信機と、を備え、
前記受信機チップが、
第２の１次受信機と、
第２の２次受信機と、を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、第１の１次同相／直交信号を取得するために、前記１次アンテナから前記第１の１次受信機まで前記１次アンテナを用いて受信された第１信号を転送し、
第２ルーティングは、第１の２次同相／直交信号を取得するために、前記１次アンテナから前記第１の２次受信機まで前記第１信号を転送し、
第３ルーティングは、第２の１次同相／直交信号を取得するために、前記２次アンテナから前記第２の１次受信機まで前記２次アンテナを用いて受信された第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャはインターバンドオペレーション中であり、
前記第２ルーティングは、前記第１の１次受信機の第１帯域の低雑音増幅器内の第１段階の増幅器から出力された信号を前記第１の２次受信機の第２帯域の低雑音増幅器内の第２段階の増幅器へ転送する、無線通信デバイス。
【請求項２】
前記第１段階の増幅器が相互コンダクタンス段階であって、そしてここにおいて、前記第２段階の増幅器がカスコード段階であり、前記相互コンダクタンス段階の出力は前記カスコード段階に転送され、前記カスコード段階の出力は同相信号と直交信号を生成するために使用される、請求項１の前記無線通信デバイス。
【請求項３】
前記第１帯域がローバンドであり、かつ前記第２帯域が前記ローバンドの周波数よりも高い周波数を含むミッドバンドである、請求項１の前記無線通信デバイス。
【請求項４】
前記第１帯域がローバンドであり、かつ前記第２帯域が前記ローバンドの周波数よりも高い周波数帯域を含むハイバンドである、請求項１の前記無線通信デバイス。
【請求項５】
前記第１帯域がミッドバンドであり、かつ前記第２帯域が前記ミッドバンドの周波数よりも高い周波数帯域を含むハイバンドである、請求項１の前記無線通信デバイス。
【請求項６】
複数のキャリア信号を受信するために構成された無線通信デバイスであって、
１次アンテナと、
キャリア・アグリゲーションの動作とダイバーシティ／同時ハイブリッド・デュアル受信機の動作の両方のために構成された送受信機チップと、
を備える、１次信号分割キャリア・アグリゲーション・アーキテクチャと、
２次アンテナと、
キャリア・アグリゲーションの動作とダイバーシティ／同時ハイブリッド・デュアル受信機の動作の両方のために構成された受信機チップと、
を備える、２次信号分割キャリア・アグリゲーション・アーキテクチャと、
を備え、
前記送受信機チップが、
送信機と、
第１の１次受信機と、
第１の２次受信機と、を備え、
前記受信機チップが、
第２の１次受信機と、
第２の２次受信機と、を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、第１の１次同相／直交信号を取得するために、前記１次アンテナから前記第１の１次受信機まで前記１次アンテナを用いて受信された第１信号を転送し、
第２ルーティングは、第１の２次同相／直交信号を取得するために、前記１次アンテナから前記第１の２次受信機まで前記第１信号を転送し、
第３ルーティングは、第２の１次同相／直交信号を取得するために、前記２次アンテナから前記第２の１次受信機まで前記２次アンテナを用いて受信された第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャはインターバンドオペレーション中であり、
前記第４ルーティングは、前記第２の１次受信機の第１帯域の低雑音増幅器内の第１段階の増幅器から出力された信号を第２の２次受信機の第２帯域の低雑音増幅器内の第２段階の増幅器に転送する、無線通信デバイス。
【請求項７】
複数のキャリア信号を受信するために構成された無線通信デバイスであって、
１次アンテナと、
キャリア・アグリゲーションの動作とダイバーシティ／同時ハイブリッド・デュアル受信機の動作の両方のために構成された送受信機チップと、
を備える、１次信号分割キャリア・アグリゲーション・アーキテクチャと、
２次アンテナと、
キャリア・アグリゲーションの動作とダイバーシティ／同時ハイブリッド・デュアル受信機の動作の両方のために構成された受信機チップと、
を備える、２次信号分割キャリア・アグリゲーション・アーキテクチャと、
を備え、
前記送受信機チップが、
送信機と、
第１の１次受信機と、
第１の２次受信機と、を備え、
前記受信機チップが、
第２の１次受信機と、
第２の２次受信機と、を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、第１の１次同相／直交信号を取得するために、前記１次アンテナから前記第１の１次受信機まで前記１次アンテナを用いて受信された第１信号を転送し、
第２ルーティングは、第１の２次同相／直交信号を取得するために、前記１次アンテナから前記第１の２次受信機まで前記第１信号を転送し、
第３ルーティングは、第２の１次同相／直交信号を取得するために、前記２次アンテナから前記第２の１次受信機まで前記２次アンテナを用いて受信された第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャはインターバンドオペレーション中であり、
前記第２ルーティングは、前記第１の１次受信機の第１帯域の低雑音増幅器内の第２段階の増幅器から出力された信号を前記第１の２次受信機内の混合器に転送する、無線通信デバイス。
【請求項８】
複数のキャリア信号を受信するために構成された無線通信デバイスであって、
１次アンテナと、
キャリア・アグリゲーションの動作とダイバーシティ／同時ハイブリッド・デュアル受信機の動作の両方のために構成された送受信機チップと、
を備える、１次信号分割キャリア・アグリゲーション・アーキテクチャと、
２次アンテナと、
キャリア・アグリゲーションの動作とダイバーシティ／同時ハイブリッド・デュアル受信機の動作の両方のために構成された受信機チップと、
を備える、２次信号分割キャリア・アグリゲーション・アーキテクチャと、
を備え、
前記送受信機チップが、
送信機と、
第１の１次受信機と、
第１の２次受信機と、を備え、
前記受信機チップが、
第２の１次受信機と、
第２の２次受信機と、を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、第１の１次同相／直交信号を取得するために、前記１次アンテナから前記第１の１次受信機まで前記１次アンテナを用いて受信された第１信号を転送し、
第２ルーティングは、第１の２次同相／直交信号を取得するために、前記１次アンテナから前記第１の２次受信機まで前記第１信号を転送し、
第３ルーティングは、第２の１次同相／直交信号を取得するために、前記２次アンテナから前記第２の１次受信機まで前記２次アンテナを用いて受信された第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャはインターバンドオペレーション中であり、
前記第４ルーティングは、前記第２の１次受信機の第１帯域の低雑音増幅器内の第２段階の増幅器から出力された信号を前記第２の２次受信機内の混合器に転送する、無線通信デバイス。
【請求項９】
複数のキャリア信号を受信するために構成された無線通信デバイスであって、
１次アンテナと、
キャリア・アグリゲーションの動作とダイバーシティ／同時ハイブリッド・デュアル受信機の動作の両方のために構成された送受信機チップと、
を備える、１次信号分割キャリア・アグリゲーション・アーキテクチャと、
２次アンテナと、
キャリア・アグリゲーションの動作とダイバーシティ／同時ハイブリッド・デュアル受信機の動作の両方のために構成された受信機チップと、
を備える、２次信号分割キャリア・アグリゲーション・アーキテクチャと、
を備え、
前記送受信機チップが、
送信機と、
第１の１次受信機と、
第１の２次受信機と、を備え、
前記受信機チップが、
第２の１次受信機と、
第２の２次受信機と、を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、第１の１次同相／直交信号を取得するために、前記１次アンテナから前記第１の１次受信機まで前記１次アンテナを用いて受信された第１信号を転送し、
第２ルーティングは、第１の２次同相／直交信号を取得するために、前記１次アンテナから前記第１の２次受信機まで前記第１信号を転送し、
第３ルーティングは、第２の１次同相／直交信号を取得するために、前記２次アンテナから前記第２の１次受信機まで前記２次アンテナを用いて受信された第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャが、イントラバンドオペレーション中であり、
前記第１の１次受信機の第１帯域の低雑音増幅器内の第１段階の増幅器から出力された信号は分割され、前記第２ルーティングは、前記信号を前記第１の１次受信機の前記第１帯域の低雑音増幅器内の第２段階の増幅器に転送し、そして前記信号を前記第１の２次受信機の第２帯域の低雑音増幅器内の第２段階の増幅器に転送する、無線通信デバイス。
【請求項１０】
複数のキャリア信号を受信するために構成された無線通信デバイスであって、
１次アンテナと、
キャリア・アグリゲーションの動作とダイバーシティ／同時ハイブリッド・デュアル受信機の動作の両方のために構成された送受信機チップと、
を備える、１次信号分割キャリア・アグリゲーション・アーキテクチャと、
２次アンテナと、
キャリア・アグリゲーションの動作とダイバーシティ／同時ハイブリッド・デュアル受信機の動作の両方のために構成された受信機チップと、
を備える、２次信号分割キャリア・アグリゲーション・アーキテクチャと、
を備え、
前記送受信機チップが、
送信機と、
第１の１次受信機と、
第１の２次受信機と、を備え、
前記受信機チップが、
第２の１次受信機と、
第２の２次受信機と、を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、第１の１次同相／直交信号を取得するために、前記１次アンテナから前記第１の１次受信機まで前記１次アンテナを用いて受信された第１信号を転送し、
第２ルーティングは、第１の２次同相／直交信号を取得するために、前記１次アンテナから前記第１の２次受信機まで前記第１信号を転送し、
第３ルーティングは、第２の１次同相／直交信号を取得するために、前記２次アンテナから前記第２の１次受信機まで前記２次アンテナを用いて受信された第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャが、イントラバンドオペレーション中であり、
前記第２の１次受信機の第１帯域の低雑音増幅器内の第１段階の増幅器から出力された信号は分割され、前記第４ルーティングは、前記信号を前記第２の１次受信機の前記第１帯域の低雑音増幅器内の第２段階の増幅器に転送し、そして前記信号を前記第２の２次受信機の第２帯域の低雑音増幅器内の第２段階の増幅器に転送する、無線通信デバイス。
【請求項１１】
複数のキャリア信号を受信するために構成された無線通信デバイスであって、
１次アンテナと、
キャリア・アグリゲーションの動作とダイバーシティ／同時ハイブリッド・デュアル受信機の動作の両方のために構成された送受信機チップと、
を備える、１次信号分割キャリア・アグリゲーション・アーキテクチャと、
２次アンテナと、
キャリア・アグリゲーションの動作とダイバーシティ／同時ハイブリッド・デュアル受信機の動作の両方のために構成された受信機チップと、
を備える、２次信号分割キャリア・アグリゲーション・アーキテクチャと、
を備え、
前記送受信機チップが、
送信機と、
第１の１次受信機と、
第１の２次受信機と、を備え、
前記受信機チップが、
第２の１次受信機と、
第２の２次受信機と、を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、第１の１次同相／直交信号を取得するために、前記１次アンテナから前記第１の１次受信機まで前記１次アンテナを用いて受信された第１信号を転送し、
第２ルーティングは、第１の２次同相／直交信号を取得するために、前記１次アンテナから前記第１の２次受信機まで前記第１信号を転送し、
第３ルーティングは、第２の１次同相／直交信号を取得するために、前記２次アンテナから前記第２の１次受信機まで前記２次アンテナを用いて受信された第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャが、イントラバンドオペレーション中であり、
前記第１の１次受信機の第１帯域の低雑音増幅器内の第２段階の増幅器から出力された信号は分割され、前記第２ルーティングは、前記信号を前記第１の１次受信機の第１の混合器に転送し、そして前記信号を前記第１の２次受信機の第２の混合器に転送する、無線通信デバイス。
【請求項１２】
複数のキャリア信号を受信するために構成された無線通信デバイスであって、
１次アンテナと、
キャリア・アグリゲーションの動作とダイバーシティ／同時ハイブリッド・デュアル受信機の動作の両方のために構成された送受信機チップと、
を備える、１次信号分割キャリア・アグリゲーション・アーキテクチャと、
２次アンテナと、
キャリア・アグリゲーションの動作とダイバーシティ／同時ハイブリッド・デュアル受信機の動作の両方のために構成された受信機チップと、
を備える、２次信号分割キャリア・アグリゲーション・アーキテクチャと、
を備え、
前記送受信機チップが、
送信機と、
第１の１次受信機と、
第１の２次受信機と、を備え、
前記受信機チップが、
第２の１次受信機と、
第２の２次受信機と、を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、第１の１次同相／直交信号を取得するために、前記１次アンテナから前記第１の１次受信機まで前記１次アンテナを用いて受信された第１信号を転送し、
第２ルーティングは、第１の２次同相／直交信号を取得するために、前記１次アンテナから前記第１の２次受信機まで前記第１信号を転送し、
第３ルーティングは、第２の１次同相／直交信号を取得するために、前記２次アンテナから前記第２の１次受信機まで前記２次アンテナを用いて受信された第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャが、イントラバンドオペレーション中であり、
前記第２の１次受信機の第１帯域の低雑音増幅器内の第２段階の増幅器から出力された信号は分割され、前記第４ルーティングは、前記信号を前記第２の１次受信機の第１の混合器に転送し、そして前記信号を前記第２の２次受信機の第２の混合器に転送する、無線通信デバイス。
【請求項１３】
１次信号分割キャリア・アグリゲーション・アーキテクチャと２次信号分割キャリア・アグリゲーション・アーキテクチャを用いて複数のキャリア信号を受信するための方法であって、
１次アンテナを用いて第１信号を受信することと、
第１の１次同相／直交信号を取得するために、前記１次信号分割キャリア・アグリゲーション・アーキテクチャにおける送受信機チップ上の第１の１次受信機を経由して前記第１信号を転送することと、
第１の２次同相／直交信号を取得するために、前記送受信機チップ上の第１の２次受信機を経由して前記第１信号を転送することと、
２次アンテナを用いて第２信号を受信することと、
第２の１次同相／直交信号を取得するために、前記２次信号分割キャリア・アグリゲーション・アーキテクチャにおける受信機チップ上の第２の１次受信機を経由して前記第２信号を転送することと、
第２の２次同相／直交信号を取得するために、前記受信機チップ上の第２の２次受信機を経由して前記第２信号を転送することと、
を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、前記第１の１次同相／直交信号を取得するために、前記１次アンテナから前記第１の１次受信機まで前記第１信号を転送し、
第２ルーティングは、前記第１の２次同相／直交信号を取得するために前記１次アンテナから前記第１の２次受信機まで前記第１信号を転送し、
第３ルーティングは、前記第２の１次同相／直交信号を取得するために、前記２次アンテナから前記第２の１次受信機まで前記第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャがインターバンドオペレーション中であり、
前記第２ルーティングは、前記第１の１次受信機の第１帯域の低雑音増幅器内の第１段階の増幅器から出力された信号を前記第１の２次受信機の第２帯域の低雑音増幅器内の第２段階の増幅器に転送する、方法。
【請求項１４】
前記第１段階の増幅器は相互コンダクタンス段階であり、そしてここにおいて、前記第２段階の増幅器はカスコード段階であり、前記相互コンダクタンス段階の出力は前記カスコード段階に転送され、前記カスコード段階の出力は同相信号と直交信号を生成するために使用される、請求項１３の前記方法。
【請求項１５】
前記第１帯域はローバンドであり、かつ前記第２帯域は前記ローバンドの周波数よりも高い周波数を含むミッドバンドである、請求項１３の前記方法。
【請求項１６】
前記第１帯域はローバンドであり、かつ前記第２帯域は前記ローバンドの周波数よりも高い周波数を含むハイバンドである、請求項１３の前記方法。
【請求項１７】
前記第１帯域はミッドバンドであり、かつ前記第２帯域は前記ミッドバンドの周波数よりも高い周波数を含むハイバンドである、請求項１３の前記方法。
【請求項１８】
１次信号分割キャリア・アグリゲーション・アーキテクチャと２次信号分割キャリア・アグリゲーション・アーキテクチャを用いて複数のキャリア信号を受信するための方法であって、
１次アンテナを用いて第１信号を受信することと、
第１の１次同相／直交信号を取得するために、前記１次信号分割キャリア・アグリゲーション・アーキテクチャにおける送受信機チップ上の第１の１次受信機まで前記第１信号を転送することと、
第１の２次同相／直交信号を取得するために、前記送受信機チップ上の第１の２次受信機まで前記第１信号を転送することと、
２次アンテナを用いて第２信号を受信することと、
第２の１次同相／直交信号を取得するために、前記２次信号分割キャリア・アグリゲーション・アーキテクチャにおける受信機チップ上の第２の１次受信機まで前記第２信号を転送することと、
第２の２次同相／直交信号を取得するために、前記受信機チップ上の第２の２次受信機まで前記第２信号を転送することと、
を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、前記第１の１次同相／直交信号を取得するために、前記１次アンテナから前記第１の１次受信機まで前記第１信号を転送し、
第２ルーティングは、前記第１の２次同相／直交信号を取得するために前記１次アンテナから前記第１の２次受信機まで前記第１信号を転送し、
第３ルーティングは、前記第２の１次同相／直交信号を取得するために、前記２次アンテナから前記第２の１次受信機まで前記第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャがインターバンドオペレーション中であり、
前記第４ルーティングは、前記第２の１次受信機の第１帯域の低雑音増幅器内の第１段階の増幅器から出力された信号を前記第２の２次受信機の第２帯域の低雑音増幅器内の第２段階の増幅器に転送する、方法。
【請求項１９】
１次信号分割キャリア・アグリゲーション・アーキテクチャと２次信号分割キャリア・アグリゲーション・アーキテクチャを用いて複数のキャリア信号を受信するための方法であって、
１次アンテナを用いて第１信号を受信することと、
第１の１次同相／直交信号を取得するために、前記１次信号分割キャリア・アグリゲーション・アーキテクチャにおける送受信機チップ上の第１の１次受信機まで前記第１信号を転送することと、
第１の２次同相／直交信号を取得するために、前記送受信機チップ上の第１の２次受信機まで前記第１信号を転送することと、
２次アンテナを用いて第２信号を受信することと、
第２の１次同相／直交信号を取得するために、前記２次信号分割キャリア・アグリゲーション・アーキテクチャにおける受信機チップ上の第２の１次受信機まで前記第２信号を転送することと、
第２の２次同相／直交信号を取得するために、前記受信機チップ上の第２の２次受信機まで前記第２信号を転送することと、
を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、前記第１の１次同相／直交信号を取得するために、前記１次アンテナから前記第１の１次受信機まで前記第１信号を転送し、
第２ルーティングは、前記第１の２次同相／直交信号を取得するために前記１次アンテナから前記第１の２次受信機まで前記第１信号を転送し、
第３ルーティングは、前記第２の１次同相／直交信号を取得するために、前記２次アンテナから前記第２の１次受信機まで前記第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャがインターバンドオペレーション中であり、
前記第２ルーティングは、前記第１の１次受信機の第１帯域の低雑音増幅器内の第２段階の増幅器から出力された信号を前記第１の２次受信機内の混合器に転送する、方法。
【請求項２０】
１次信号分割キャリア・アグリゲーション・アーキテクチャと２次信号分割キャリア・アグリゲーション・アーキテクチャを用いて複数のキャリア信号を受信するための方法であって、
１次アンテナを用いて第１信号を受信することと、
第１の１次同相／直交信号を取得するために、前記１次信号分割キャリア・アグリゲーション・アーキテクチャにおける送受信機チップ上の第１の１次受信機まで前記第１信号を転送することと、
第１の２次同相／直交信号を取得するために、前記送受信機チップ上の第１の２次受信機まで前記第１信号を転送することと、
２次アンテナを用いて第２信号を受信することと、
第２の１次同相／直交信号を取得するために、前記２次信号分割キャリア・アグリゲーション・アーキテクチャにおける受信機チップ上の第２の１次受信機まで前記第２信号を転送することと、
第２の２次同相／直交信号を取得するために、前記受信機チップ上の第２の２次受信機まで前記第２信号を転送することと、
を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、前記第１の１次同相／直交信号を取得するために、前記１次アンテナから前記第１の１次受信機まで前記第１信号を転送し、
第２ルーティングは、前記第１の２次同相／直交信号を取得するために前記１次アンテナから前記第１の２次受信機まで前記第１信号を転送し、
第３ルーティングは、前記第２の１次同相／直交信号を取得するために、前記２次アンテナから前記第２の１次受信機まで前記第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャがインターバンドオペレーション中であり、
前記第４ルーティングは、前記第２の１次受信機の第１帯域の低雑音増幅器内の第２段階の増幅器から出力された信号を前記第２の２次受信機内の混合器に転送する、方法。
【請求項２１】
１次信号分割キャリア・アグリゲーション・アーキテクチャと２次信号分割キャリア・アグリゲーション・アーキテクチャを用いて複数のキャリア信号を受信するための方法であって、
１次アンテナを用いて第１信号を受信することと、
第１の１次同相／直交信号を取得するために、前記１次信号分割キャリア・アグリゲーション・アーキテクチャにおける送受信機チップ上の第１の１次受信機まで前記第１信号を転送することと、
第１の２次同相／直交信号を取得するために、前記送受信機チップ上の第１の２次受信機まで前記第１信号を転送することと、
２次アンテナを用いて第２信号を受信することと、
第２の１次同相／直交信号を取得するために、前記２次信号分割キャリア・アグリゲーション・アーキテクチャにおける受信機チップ上の第２の１次受信機まで前記第２信号を転送することと、
第２の２次同相／直交信号を取得するために、前記受信機チップ上の第２の２次受信機まで前記第２信号を転送することと、
を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、前記第１の１次同相／直交信号を取得するために、前記１次アンテナから前記第１の１次受信機まで前記第１信号を転送し、
第２ルーティングは、前記第１の２次同相／直交信号を取得するために前記１次アンテナから前記第１の２次受信機まで前記第１信号を転送し、
第３ルーティングは、前記第２の１次同相／直交信号を取得するために、前記２次アンテナから前記第２の１次受信機まで前記第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャがイントラバンドオペレーション中であり、
前記第１の１次受信機の第１帯域の低雑音増幅器内の第１段階の増幅器から出力された信号は分割され、前記第２ルーティングは、前記信号を前記第１の１次受信機の前記第１帯域の低雑音増幅器内の第２段階の増幅器に転送し、そして前記信号を前記第１の２次受信機の第２帯域の低雑音増幅器内の第２段階の増幅器に転送する、方法。
【請求項２２】
１次信号分割キャリア・アグリゲーション・アーキテクチャと２次信号分割キャリア・アグリゲーション・アーキテクチャを用いて複数のキャリア信号を受信するための方法であって、
１次アンテナを用いて第１信号を受信することと、
第１の１次同相／直交信号を取得するために、前記１次信号分割キャリア・アグリゲーション・アーキテクチャにおける送受信機チップ上の第１の１次受信機まで前記第１信号を転送することと、
第１の２次同相／直交信号を取得するために、前記送受信機チップ上の第１の２次受信機まで前記第１信号を転送することと、
２次アンテナを用いて第２信号を受信することと、
第２の１次同相／直交信号を取得するために、前記２次信号分割キャリア・アグリゲーション・アーキテクチャにおける受信機チップ上の第２の１次受信機まで前記第２信号を転送することと、
第２の２次同相／直交信号を取得するために、前記受信機チップ上の第２の２次受信機まで前記第２信号を転送することと、
を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、前記第１の１次同相／直交信号を取得するために、前記１次アンテナから前記第１の１次受信機まで前記第１信号を転送し、
第２ルーティングは、前記第１の２次同相／直交信号を取得するために前記１次アンテナから前記第１の２次受信機まで前記第１信号を転送し、
第３ルーティングは、前記第２の１次同相／直交信号を取得するために、前記２次アンテナから前記第２の１次受信機まで前記第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャがイントラバンドオペレーション中であり、
前記第２の１次受信機の第１帯域の低雑音増幅器内の第１段階の増幅器から出力された信号は分割され、前記第４ルーティングは、前記信号を前記第２の１次受信機の前記第１帯域の低雑音増幅器内の第２段階の増幅器に転送し、そして前記信号を前記第２の２次受信機の第２帯域の低雑音増幅器内の第２段階の増幅器に転送する、方法。
【請求項２３】
１次信号分割キャリア・アグリゲーション・アーキテクチャと２次信号分割キャリア・アグリゲーション・アーキテクチャを用いて複数のキャリア信号を受信するための方法であって、
１次アンテナを用いて第１信号を受信することと、
第１の１次同相／直交信号を取得するために、前記１次信号分割キャリア・アグリゲーション・アーキテクチャにおける送受信機チップ上の第１の１次受信機まで前記第１信号を転送することと、
第１の２次同相／直交信号を取得するために、前記送受信機チップ上の第１の２次受信機まで前記第１信号を転送することと、
２次アンテナを用いて第２信号を受信することと、
第２の１次同相／直交信号を取得するために、前記２次信号分割キャリア・アグリゲーション・アーキテクチャにおける受信機チップ上の第２の１次受信機まで前記第２信号を転送することと、
第２の２次同相／直交信号を取得するために、前記受信機チップ上の第２の２次受信機まで前記第２信号を転送することと、
を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、前記第１の１次同相／直交信号を取得するために、前記１次アンテナから前記第１の１次受信機まで前記第１信号を転送し、
第２ルーティングは、前記第１の２次同相／直交信号を取得するために前記１次アンテナから前記第１の２次受信機まで前記第１信号を転送し、
第３ルーティングは、前記第２の１次同相／直交信号を取得するために、前記２次アンテナから前記第２の１次受信機まで前記第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャがイントラバンドオペレーション中であり、
前記第１の１次受信機の第１帯域の低雑音増幅器内の第２段階の増幅器から出力された信号は分割され、前記第２ルーティングは、前記信号を前記第１の１次受信機の第１の混合器に転送し、そして前記信号を前記第１の２次受信機の第２の混合器に転送する、方法。
【請求項２４】
１次信号分割キャリア・アグリゲーション・アーキテクチャと２次信号分割キャリア・アグリゲーション・アーキテクチャを用いて複数のキャリア信号を受信するための方法であって、
１次アンテナを用いて第１信号を受信することと、
第１の１次同相／直交信号を取得するために、前記１次信号分割キャリア・アグリゲーション・アーキテクチャにおける送受信機チップ上の第１の１次受信機まで前記第１信号を転送することと、
第１の２次同相／直交信号を取得するために、前記送受信機チップ上の第１の２次受信機まで前記第１信号を転送することと、
２次アンテナを用いて第２信号を受信することと、
第２の１次同相／直交信号を取得するために、前記２次信号分割キャリア・アグリゲーション・アーキテクチャにおける受信機チップ上の第２の１次受信機まで前記第２信号を転送することと、
第２の２次同相／直交信号を取得するために、前記受信機チップ上の第２の２次受信機まで前記第２信号を転送することと、
を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、前記第１の１次同相／直交信号を取得するために、前記１次アンテナから前記第１の１次受信機まで前記第１信号を転送し、
第２ルーティングは、前記第１の２次同相／直交信号を取得するために前記１次アンテナから前記第１の２次受信機まで前記第１信号を転送し、
第３ルーティングは、前記第２の１次同相／直交信号を取得するために、前記２次アンテナから前記第２の１次受信機まで前記第２信号を転送し、
第４ルーティングは、第２の２次同相／直交信号を取得するために、前記２次アンテナから前記第２の２次受信機まで前記第２信号を転送し、
前記１次信号分割キャリア・アグリゲーション・アーキテクチャと前記２次信号分割キャリア・アグリゲーション・アーキテクチャがイントラバンドオペレーション中であり、
前記第２の１次受信機の第１帯域の低雑音増幅器内の第２段階の増幅器から出力された信号は分割され、前記第４ルーティングは、前記信号を前記第２の１次受信機の第１の混合器に転送し、そして前記信号を前記第２の２次受信機の第２の混合器に転送する、方法。
【請求項２５】
１次信号分割キャリア・アグリゲーション・アーキテクチャと２次信号分割キャリア・アグリゲーション・アーキテクチャを用いて複数のキャリア信号を受信するための装置であって、
１次アンテナを用いて第１信号を受信するための手段と、
第１の１次同相／直交信号を取得するために、前記１次信号分割キャリア・アグリゲーション・アーキテクチャにおける送受信機チップ上の第１の１次受信機を経由して、前記第１信号を転送するための手段と、
第１の２次同相／直交信号を取得するために、前記送受信機チップ上の第１の２次受信機を経由して、前記第１信号を転送するための手段と、
２次アンテナを用いて第２信号を受信するための手段と、
第２の１次同相／直交信号を取得するために、前記２次信号分割キャリア・アグリゲーション・アーキテクチャにおける受信機チップ上の第２の１次受信機を経由して、前記第２信号を転送するための手段と、
第２の２次同相／直交信号を取得するために、前記受信機チップ上の第２の２次受信機を経由して、前記第２信号を転送するための手段と、
を備え、
各受信機が第１帯域のための複数の低雑音増幅器と第２帯域のための複数の低雑音増幅器を備え、
各低雑音増幅器が第１段階の増幅器と第２段階の増幅器を備え、
第１ルーティングは、前記第１の１次同相／直交信号を取得するために、前記１次アンテナから前記第１の１次受信機まで前記第１信号を転送し、
第２ルーティングは、前記第１の２次同相／直交信号を取得するために、前記１次アンテナから前記第１の２次受信機まで前記第１信号を転送し、
第３ルーティングは、前記第２の１次同相／直交信号を取得するために、前記２次アンテナから前記第２の１次受信機まで前記第１信号を転送し、
第４ルーティングは、前記第２の２次同相／直交信号を取得するために、前記２次アンテナから前記第２の２次受信機まで前記第１信号を転送し、
前記１次信号分割キャリア・アグリゲーション・アーキテクチャと前記２次信号分割キャリア・アグリゲーション・アーキテクチャがインターバンドオペレーション中であり、
前記第２ルーティングは、前記第１の１次受信機の第１帯域の低雑音増幅器内の第１段階の増幅器から出力された信号を前記第１の２次受信機の第２帯域の低雑音増幅器内の第２段階の増幅器に転送する、装置。
【発明の詳細な説明】
【関連出願】
【０００１】
[0001]本出願は、「電流ステアリング・キャリア・アグリゲーション・受信機アーキテクチャ」に対して２０１１年６月２７日に出願された米国仮特許出願番号６１／５０１，３８１に関係し、またその米国仮特許出願からの優先権を主張する。
【技術分野】
【０００２】
[0002]本開示は一般的に、通信システムのための無線デバイスに関する。さらに具体的には、本開示は、信号分割キャリア・アグリゲーション・受信機アーキテクチャのためのシステムおよび方法に関する。
【背景技術】
【０００３】
[0003]電子デバイス（セルラー電話、無線モデム、コンピュータ、デジタル音楽プレーヤー、全地球測位システムユニット、個人用デジタル補助装置、ゲーム機器等）は日常生活の一部となっている。小型のコンピュータ・デバイスは、今では自動車から家の鍵に至るまであらゆる物に設置されている。電子デバイスの複雑さは過去数年で劇的に増した。例えば、多くの電子デバイスは、プロセッサおよびデバイスのその他の部分を支援するために、複数のデジタル回路のみならずデバイスの制御を助ける１つまたは複数のプロセッサを有する。
【０００４】
[0004]これらの電子デバイスは、デバイス同士で、またはネットワークと、無線で通信可能である。これらの電子デバイスによる情報に対する要求が増えるのにつれて、ダウンリンクスループットが同様に増加した。ダウンリンクスループットを増加するためのこういった方法のひとつには、キャリア・アグリゲーションの利用がある。キャリア・アグリゲーションにおいて、複数のキャリアは所要の帯域幅（ひいては所要のスループット）を提供するために物理層上に集められることができる。
【０００５】
[0005]電子デバイスにとって、バッテリーの寿命を最大にすることが望ましいようである。電子デバイスはしばしば限られた動作時間を有するバッテリーで動作するので、電子デバイスの電力消費の削減は、その電子デバイスの望ましさと機能性を増すことになるだろう。
【０００６】
[0006]電子デバイスはまた、より小型にかつより安価になっている。サイズとコスト両方の減少を容易にするために、付加的な回路やより複雑な回路が集積回路上で使われている。従って、回路によって使用されるダイの領域におけるどんな減少でも電子デバイスのサイズとコストの両方を減らすことができる。電子デバイスが、キャリア・アグリゲーションに参入することを可能にする電子デバイスに向けた改良によって複数の利点が実現され、同時に電子デバイスのコストとサイズの最小にし、また同時に電子デバイスの電力消費を最小にする。
【発明の概要】
【０００７】
[0007]複数のキャリア信号を受信するために構成された無線通信デバイスが説明される。無線通信デバイスは１次アンテナと送受信機チップを含む１次信号分割キャリア・アグリゲーション・アーキテクチャを含む。１次信号分割キャリア・アグリゲーション・アーキテクチャは、第１のダイバーシティ／同時ハイブリッド・デュアル受信機パスを再利用する。無線通信デバイスはまた、２次アンテナと受信機チップを含む２次信号分割キャリア・アグリゲーション・アーキテクチャを含む。２次信号分割キャリア・アグリゲーション・アーキテクチャは、第２のダイバーシティ／同時ハイブリッド・デュアル・受信機パスを再利用する。
【０００８】
[0008]１次信号分割キャリア・アグリゲーション・アーキテクチャと２次信号分割キャリア・アグリゲーション・アーキテクチャは、４つのアンテナ、電力スプリッタ、外付けの低雑音増幅器、またはダイからダイへの信号ルーティングを必要としない。送受信機チップは、送信機、第１の１次受信機、および第１の２次受信機を含むことができる。受信機チップは、第２の１次受信機と第２の２次受信機を含むことができる。各受信機は、第１帯域のための複数の低雑音増幅器および第２帯域のための複数の低雑音増幅器を含むことができる。各低雑音増幅器は、第１段階の増幅器および第２段階の増幅器を含むことができる。
【０００９】
[0009]第１段階の増幅器が相互コンダクタンス段階であっても良くまた第２段階の増幅器がカスコード段階であっても良い。１つの構成において、第１帯域がローバンドであっても良く、また第２帯域がミッドバンドであっても良い。その他の構成において、第１帯域がローバンドであっても良く、また第２帯域がハイバンドであっても良い。さらに別の構成において、第１帯域がミッドバンドであってもよく、第２帯域がハイバンドであっても良い。
【００１０】
[0010]第１ルーティングは、第１の１次同相／直交信号を取得するために、１次アンテナから第１の１次受信機まで用いられることができる。第２ルーティングは、第１の２次同相／直交信号を取得するために、１次アンテナから第１の２次受信機まで用いられることができる。第３ルーティングは、第２の１次同相／直交信号を取得するために、２次アンテナから第２の１次受信機まで用いられることができる。第４ルーティングは、第２の２次同相／直交信号を取得するために、２次アンテナから第２の２次受信機まで用いられることができる。
【００１１】
[0011]１次信号分割キャリア・アグリゲーション・アーキテクチャと２次信号分割キャリア・アグリゲーション・アーキテクチャはインターバンドオペレーション中であり得る。第２ルーティングは第１の信号分割段階を通過しても良い。第４ルーティングは第２の信号分割段階を通過しても良い。
【００１２】
[0012]第１の信号分割段階は、第１の１次受信機の第１帯域の低雑音増幅器内の第１段階の増幅器から出力された信号を第１の２次受信機の第２帯域の低雑音増幅器内の第２段階の増幅器へ転送する。第２の信号分割段階は、第２の１次受信機の第１帯域の低雑音増幅器内の第１段階の増幅器から出力された信号を第２の２次受信機の第２帯域の低雑音増幅器内の第２段階の増幅器に転送することができる。
【００１３】
[0013]第１の信号分割段階は、第１の１次受信機の第１帯域の低雑音増幅器内の第２段階の増幅器から出力された信号を第１の２次受信機内の混合器に転送することができる。第２の信号分割段階は、第２の１次受信機の第１帯域の低雑音増幅器内の第２段階の増幅器から出力された信号を第２の２次受信機内の混合器へ転送することができる。
【００１４】
[0014]１次信号分割キャリア・アグリゲーション・アーキテクチャと２次信号分割キャリア・アグリゲーション・アーキテクチャはイントラバンドオペレーション中であり得る。第２ルーティングは第１の信号分割段階を通過しても良い。第４ルーティングは第２の信号分割段階を通過しても良い。第１の信号分割段階は、第１の１次受信機の第１帯域の低雑音増幅器内の第１段階の増幅器から出力された信号を分割し、その信号を第１の１次受信機の第１帯域の低雑音増幅器内の第２段階の増幅器に転送し、そしてその信号を第１の２次受信機の第２帯域の低雑音増幅器内の第２段階の増幅器に転送することができる。第２の信号分割段階は、第２の１次受信機の第１帯域の低雑音増幅器内の第１段階の増幅器から出力された信号を分割し、その信号を第２の１次受信機の第１帯域の低雑音増幅器内の第２段階の増幅器に転送し、そしてその信号を第２の２次受信機の第２帯域の低雑音増幅器内の第２段階の増幅器に転送することができる。
【００１５】
[0015]第１の信号分割段階は、第１の１次受信機の第１帯域の低雑音増幅器内の第２段階の増幅器から出力された信号を分割し、その信号を第１の１次受信機の第１の混合器へ転送し、そしてその信号を第２の１次受信機の第２の混合器へ転送することができる。第２の信号分割段階は、第２の１次受信機の第１帯域の低雑音増幅器内の第２段階の増幅器から出力された信号を分割し、その信号を第２の１次受信機の第１の混合器へ転送し、そしてその信号を第２の１次受信機の第２の混合器へ転送することができる。
【００１６】
[0016]１次信号分割キャリア・アグリゲーション・アーキテクチャと２次信号分割キャリア・アグリゲーション・アーキテクチャを用いて複数のキャリア信号を受信するための方法が同様に説明される。第１信号は１次アンテナを用いて受信される。第１信号は、第１の１次同相／直交信号を取得するために、１次信号分割キャリア・アグリゲーション・アーキテクチャにおける送受信機チップ上の第１の１次受信機を経由して転送される。第１信号は、第１の２次同相／直交信号を取得するために、送受信機チップ上の第１の２次受信機を経由して転送される。第２信号は、２次アンテナを用いて受信される。第２信号は、第２の１次同相／直交信号を取得するために、２次信号分割キャリア・アグリゲーション・アーキテクチャにおける受信機チップ上の第２の１次受信機を経由して転送される。第１信号は、第２の２次同相／直交信号を取得するために、受信機チップ上の第２の２次受信機を経由して転送される。
【００１７】
[0017]１次信号分割キャリア・アグリゲーション・アーキテクチャと２次信号分割キャリア・アグリゲーション・アーキテクチャを用いて複数のキャリア信号を受信するための装置が説明される。この装置は、１次アンテナを用いて第１信号を受信するための手段を含む。この装置はまた、第１の１次同相／直交信号を取得するために、１次信号分割キャリア・アグリゲーション・アーキテクチャにおける送受信機チップ上の第１の１次受信機を経由して第１信号を転送するための手段を含む。この装置はさらに、第１の２次同相／直交信号を取得するために、送受信機チップ上の第１の２次受信機を経由して第１信号を転送するための手段を含む。この装置はまた、２次アンテナを用いて第２信号を受信するための手段を含む。この装置はさらに、第２の１次同相／直交信号を取得するために、２次信号分割キャリア・アグリゲーション・アーキテクチャにおける受信機チップ上の第２の１次受信機を経由して、第２信号を転送するための手段を含む。この装置はまた、第２の２次同相／直交信号を取得するために、受信機チップ上の第２の２次受信機を経由して、第１信号を転送するための手段を含む。
【図面の簡単な説明】
【００１８】
【図１】図１は、本システムおよび方法において使用するための無線通信デバイスを示す。
【図２】図２は、１次信号分割キャリア・アグリゲーション・アーキテクチャを示すブロック図である。
【図３】図３は、２次信号分割キャリア・アグリゲーション・アーキテクチャを示すブロック図である。
【図４】図４は、信号分割キャリア・アグリゲーション・アーキテクチャを用いて信号を受信するための方法のフロー図である。
【図５】図５は、インターバンドオペレーション中の１次信号分割キャリア・アグリゲーション・アーキテクチャを示すブロック図である。
【図６】図６は、インターバンドオペレーション中の２次信号分割キャリア・アグリゲーション・アーキテクチャを示すブロック図である。
【図７】図７は、イントラバンドオペレーション中の１次信号分割キャリア・アグリゲーション・アーキテクチャを示すブロック図である。
【図８】図８は、イントラバンドオペレーション中の２次信号分割キャリア・アグリゲーション・アーキテクチャを示すブロック図である。
【図９】図９は、インターバンド同時ハイブリッド・デュアル・受信機（ＳＨＤＲ）モードで動作する１次信号分割キャリア・アグリゲーション・アーキテクチャを示すブロック図である。
【図１０】図１０は、イントラバンド同時ハイブリッド・デュアル・受信機（ＳＨＤＲ）モードで動作する１次信号分割キャリア・アグリゲーション・アーキテクチャを示すブロック図である。
【図１１】図１１は、ダイバーシティ・モードで動作する１次信号分割キャリア・アグリゲーション・アーキテクチャを示すブロック図である。
【図１２】図１２は、ダイバーシティ・モードで動作する２次信号分割キャリア・アグリゲーション・アーキテクチャを示すブロック図である。
【図１３】図１３は、信号分割段階を示すブロック図である。
【図１４】図１４は別の信号分割段階を示すブロック図である。
【図１５】図１５は、無線通信デバイス内に含まれ得る特定のコンポーネントを示す。
【詳細な説明】
【００１９】
[0033]第３世代パートナーシップ・プロジェクト（３ＧＰＰ）は、世界レベルで適用可能な第３世代（３Ｇ）移動電話の規格を定義することを目的とするテレコミュニケーション協会のグループ間のコラボレーションである。３ＧＰＰロング・ターム・エボリューション（ＬＴＥ）は、ユニバーサル・モバイル・テレコミュニケーション・システム（ＵＭＴＳ）移動電話の標準を改良することを目的とした３ＧＰＰプロジェクトである。３ＧＰＰは移動ネットワーク、移動システム、および移動デバイスの次世代のための規格を定義することができる。３ＧＰＰ  ＬＴＥにおいて、移動局またはデバイスは、「ユーザ機器」（ＵＥ）と呼ばれることができる。
【００２０】
[0034]３ＧＰＰの規格は、発展型のＧｌｏｂａｌ  Ｓｙｓｔｅｍ  ｆｏｒ  Ｍｏｂｉｌｅ  Ｃｏｍｍｕｎｉｃａｔｉｏｎｓ（ＧＭＳ）（登録商標）の規格に基づいており、それは一般的にユニバーサル・モバイル・テレコミュニケーション・システム（ＵＭＴＳ）として知られている。３ＧＰＰの標準はリリースとして構成されている。３ＧＰＰの議論はそれゆえに、しばしばひとつのリリースまたはその他のリリースにおける機能性について述べている。例えば、リリース９９は、ＣＤＭＡエア・インターフェースを内蔵する第１ＵＭＴＳの第３世代（３Ｇ）ネットワークを規定している。リリース６は、オペレーションを無線ローカル・エリア・ネットワーク（ＬＡＮ）と一体化し、高速アップリンクパケットアクセス（ＨＳＵＰＡ）を追加している。リリース８はデュアル・ダウンリンク・キャリアを導入し、またリリース９はデュアル・キャリア・オペレーションをＵＭＴＳに向けたアップリンクまで拡張している。
【００２１】
[0035]ＣＤＭＡ２０００は、音声、データ、無線デバイス間のシグナリングを送信するために、符号分割多元接続（ＣＤＭＡ）を使用する第３世代（３Ｇ）テクノロジーの標準のファミリーである。ＣＤＭＡ２０００は、ＣＤＭＡ２０００  １Ｘ、ＣＤＭＡ２０００  ＥＶ−ＤＯ  Ｒｅｖ．０、ＣＤＭＡ２０００  ＥＶ−ＤＯ  Ｒｅｖ．Ａ、およびＣＤＭＡ２０００  ＥＶ−ＤＯ  Ｒｅｖ．Ｂを含むことができる。１ｘまたは１ｘＲＴＴは、コアＣＤＭＡ２０００無線エア・インターフェースの標準を表す。１ｘは、さらに具体的に言うと、１掛ける無線送信技術を指し、またＩＳ−９５で使われるのと同じ無線周波数（ＲＦ）帯域幅を表す。１ｘＲＴＴは６４個の追加のトラフィック・チャネルをフォワード・リンクに追加する。ＥＶ−ＤＯはＥｖｏｌｕｔｉｏｎ−Ｄａｔａ  Ｏｐｔｉｍｉｚｅｄを指す。ＥＶ−ＤＯは無線信号を介するデータの無線送信のためのテレコミュニケーションの標準である。
【００２２】
[0036]図１は、本システムおよび方法で使用するための無線通信デバイス１０４を示す。無線通信デバイス１０４はまた、端末、アクセス端末、ユーザ機器（ＵＥ）、加入者ユニット、局などのことを指し、またそれらのうちのいくつかまたは全ての機能を含むことができる。無線通信デバイス１０４は、セルラー電話、個人用デジタル補助装置（ＰＤＡ）、無線デバイス、無線モデム、ハンドヘルドデバイス、ラップトップ・コンピュータ、ＰＣカード、コンパクト・フラッシュ（登録商標）、外部用または内部用モデム、有線電話などであり得る。無線通信デバイス１０４は移動型、または固定型であっても良い。無線通信デバイス１０４は、任意の所定の瞬間に、ダウンリンクおよび／またはアップリンク上のゼロか、ひとつか、または複数の基地局と通信することができる。ダウンリンク（またはフォワード・リンク）とは、基地局から無線通信デバイス１０４への通信リンクを指し、またアップリンク（またはリバース・リンク）とは無線通信デバイス１０４から基地局への通信リンクを指す。アップリンクとダウンリンクは、通信リンクまたは通信リンクに対して使われるキャリアを指す。
【００２３】
[0037]無線通信デバイス１０４は、基地局のように、その他の無線デバイスを含む無線通信システム１００内で動作することができる。基地局は１つまたは複数の無線通信デバイス１０４と通信する局である。基地局はまた、アクセス・ポイント、放送送信機、ノードＢ、発展型ノードＢなどと呼ばれ、またそれらのいくつかまたは全ての機能を含むことができる。各基地局は、特定の地理的領域のための通信カバレッジを提供する。基地局は１つまたは複数の無線通信デバイス１０４のための通信カバレッジを提供することができる。用語「セル」は、その用語が使われるコンテキストに依存して、基地局および／またはそれのカバレッジ領域を指すことができる。
【００２４】
[0038]無線通信システム１００（例えば、多元接続システム）における通信は、無線リンク全体にわたる送信を通じて達成されることができる。こういった通信リンクはシングル入力およびシングル出力（ＳＩＳＯ）システム、またはマルチ入力およびマルチ出力（ＭＩＭＯ）システムを介して設けることができる。マルチ入力およびマルチ出力（ＭＩＭＯ）システムは、データ送信のための複数の（ＮＴ）送信アンテナと複数の（ＮＲ）受信アンテナをそれぞれ備えた（複数の）送信機と（複数の）受信機を含む。ＳＩＳＯシステムは、マルチ入力およびマルチ出力（ＭＩＭＯ）システムの特定の例である。複数の送信および受信アンテナによって作られた付加的な次元が使われる場合、マルチ入力およびマルチ出力（ＭＩＭＯ）システムは、改良された性能（例えば、より高いスループット、より大きい容量または改善された信頼性）を提供することができる。
【００２５】
[0039]無線通信システム１００は、シングル入力とマルチ出力（ＳＩＭＯ）およびマルチ入力とマルチ出力（ＭＩＭＯ）の両方を利用することができる。無線通信システム１００は、利用可能なシステムリソース（例えば、帯域幅および送信電力）を共有することによって、複数の無線通信デバイス１０４との通信を支援することができる多元接続システムであり得る。こういった多元接続システムの例は、符号分割多元接続（ＣＤＭＡ）システム、広帯域符号分割多元接続（Ｗ−ＣＤＭＡ）（登録商標）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、第３世代パートナーシップ・プロジェクト（３ＧＰＰ）ロング・ターム・エボリューション（ＬＴＥ）システム、および空間分割多元接続（ＳＤＭＡ）システムを含む。
【００２６】
[0040]無線通信デバイス１０４は信号分割を利用することができる。信号分割において、信号は特定のパスに向けられる。信号分割のひとつの形式は、電流ステアリングである。イントラバンド・キャリア・アグリゲーションのひとつの構成において、信号分割は、（相互コンダクタンス段階（Ｇｍ）のような）第１段階の増幅器の出力から信号を取得し、キャリア・アグリゲーションのために、その信号を分割し、そして（カスコード段階（Ｃａｓ）のような）２つの別々の１次段階の増幅器と２次段階の増幅器およびそれに続く１次混合器とダイバーシティ混合器にその信号を送ることを指す。イントラバンド・キャリア・アグリゲーションのその他の構成において、信号分割は、（カスコード段階（Ｃａｓ）のような）第２段階の増幅器の出力から信号を取得し、キャリア・アグリゲーションのために、その信号を分割し、そして２つの別々の１次混合器とダイバーシティ混合器にその信号を送ることを指す。
【００２７】
[0041]インターバンドキャリア・アグリゲーションのひとつの構成において、信号分割は、（相互コンダクタンス段階（Ｇｍ）のような）第１段階の増幅器から出力された信号を取得し、そしてダイバーシティ・ローカル・オシレータ（ＬＯ）を用いてダウンコンバートされるように、その信号をダイバーシティ・パス内の（カスコード段階（Ｃａｓ）のような）第２段階の増幅器とそれに続く混合器にステアリングする（または転換(divert)するまたは送り込む）ことを指す。インターバンド・キャリア・アグリゲーションの他の構成において、信号分割は、（カスコード段階（Ｃａｓ）のような）第２段階の増幅器から出力された信号を取得し、そしてダイバーシティ・ローカル・オシレータ（ＬＯ）を用いてダウンコンバートされるようにその信号をダイバーシティ・パス内の次の混合器にステアリングする（または転換するまたは送り込む）ことを指す。ここでの信号ステアリングとは電流ステアリングである。
【００２８】
[0042]しかし、電圧ステアリングもまた使われることができる。インターバンド・キャリア・アグリゲーションのための電圧ステアリングのひとつの構成において、(相互コンダクタンス段階（Ｇｍ）のような）第１段階の増幅器から出力された信号は、ダイバーシティ・ローカル・オシレータ（ＬＯ）を用いてダウンコンバートされるように、ダイバーシティ・パス内の(カスコード段階（Ｃａｓ）のような)第２段階の増幅器とそれに続く混合器に転換されることができる。インターバンド・キャリア・アグリゲーションのための電圧ステアリングのその他の構成において、（カスコード段階（Ｃａｓ）のような）第２段階の増幅器から出力された信号は、ダイバーシティ・ローカル・オシレータ（ＬＯ）用いてダウンコンバートされるようにダイバーシティ・パス内の次の混合器に転換されることができる。
【００２９】
[0043]無線通信デバイス１０４は１次アンテナ１０６と２次アンテナ１０８を含むことができる。２次アンテナ１０８はダイバーシティ・アンテナと呼ばれることがある。送受信機チップ１１０は１次アンテナ１０６に連結されることができる。送受信機チップ１１０は送信機、１次受信機（ＰＲｘ）、および２次受信機（ＳＲｘ）を含むことができる。送受信機チップ１１０は、第１のＰＲｘ同相／直交（Ｉ／Ｑ）信号１１４と第１のＳＲｘ同相／直交（Ｉ／Ｑ）信号１１６をベースバンド・デジタル・モデム１２２に出力することができる。１次アンテナ１０６と送受信機チップ１１０の構成は、１次信号分割キャリア・アグリゲーション・アーキテクチャ１２５と呼ばれることがある。１次信号分割キャリア・アグリゲーション・アーキテクチャ１２５は図２に関連して下記の追加の詳細の中で論じられている。
【００３０】
[0044]一般的に、１次信号分割キャリア・アグリゲーション・アーキテクチャ１２５は、受信された信号を、送受信機チップ１１０の１次受信機（ＰＲｘ）内の低雑音増幅器（ＬＮＡ）を使用する第１のＰＲｘ同相／直交（Ｉ／Ｑ）信号１１４と、１次受信機（ＰＲｘ）内の第１低雑音増幅器（ＬＮＡ）と２次受信機（ＳＲｘ）内の第２低雑音増幅器（ＬＮＡ）の間のルーティングを使用する第１のＳＲｘ同相／直交（Ｉ／Ｑ）信号１１６に分割することができる。ルーティングは、第１低雑音増幅器（ＬＮＡ）内のある段階の出力を第２低雑音増幅器（ＬＮＡ）内のある段階の入力に連結することができる。信号を分割するための多くの異なる方法があり得る。ひとつの構成において、第１低雑音増幅器（ＬＮＡ）内の段階は相互コンダクタンス段階（Ｇｍ）であっても良く、かつ第２低雑音増幅器（ＬＮＡ）内の段階はカスコード段階（Ｃａｓ）であっても良い。その他の構成において、第１段階は相互コンダクタンス段階（Ｇｍ）であっても良く、かつ第２段階は信号を分割するために使われる変圧器であっても良い。
【００３１】
[0045]受信機チップ１１２は２次アンテナ１０８に連結されることができる。受信機チップ１１２は１次受信機（ＰＲｘ）と２次受信機（ＳＲｘ）の両方を含むことができる。受信機チップ１１２は第２のＰＲｘ同相／直交（Ｉ／Ｑ）信号１１８と第２のＳＲｘ同相／直交（Ｉ／Ｑ）信号１２０をベースバンド・デジタル・モデム１２２に出力することができる。２次アンテナ１０８と受信機チップ１１２の構成は２次信号分割キャリア・アグリゲーション・アーキテクチャ１２７と呼ばれることがある。２次信号分割キャリア・アグリゲーション・アーキテクチャ１２７は図３に関連して下記の追加の詳細の中で論じられる。ひとつの構成において、送受信機チップ１１０は、無線通信デバイス１０４上の１次アンテナ１０６に最も近く位置されことができ、ならびに受信機チップ１１２は、無線通信デバイス１０４上の２次アンテナ１０８に最も近く位置されることができる。言い換えれば、送受信機チップ１１０と受信機チップ１１２は相互に接近し得ない。
【００３２】
[0046]一般的に、２次信号分割キャリア・アグリゲーション・アーキテクチャ１２７は受信された信号を、受信機チップ１１２の、１次受信機（ＰＲｘ）内の低雑音増幅器（ＬＮＡ）を使用する第２のＰＲｘ同相／直交（Ｉ／Ｑ）信号１１８と、１次受信機（ＰＲｘ）内の第１低雑音増幅器（ＬＮＡ）と２次受信機（ＳＲｘ）内の第２低雑音増幅器（ＬＮＡ）の間のルーティングを使用する第２のＳＲｘ同相／直交（Ｉ／Ｑ）信号１２０に分割することができる。信号を分割するための多くの異なる方法があり得る。ひとつの構成において、第１低雑音増幅器（ＬＮＡ）における段階は相互コンダクタンス段階（Ｇｍ）であっても良く、かつ第２低雑音増幅器（ＬＮＡ）における段階がカスコード段階（Ｃａｓ）であっても良い。その他の構成において、第１段階は相互コンダクタンス段階（Ｇｍ）であっても良く、かつ第２段階が信号を分割するために用いられる変圧器であっても良い。
【００３３】
[0047]無線通信デバイス１０４はダイバーシティ／同時ハイブリッド・デュアル・受信機（ＳＨＤＲ）のパスを再利用する信号分割キャリア・アグリゲーション・アーキテクチャを使うことができる。キャリア・アグリゲーションは、チップ内の(すなわち、送受信機チップ１１０と受信機チップ１１２内の)１次受信機（ＰＲｘ）の信号をダイバーシティ受信機（ＤＲｘ）のパスに結合することによって達成されることができる。本システムおよび方法の信号分割キャリア・アグリゲーション・アーキテクチャのひとつの長所は、たった２つのアンテナを用いて動作する能力である。より少ないアンテナを用いる無線通信デバイス１０４はより安価で、扱いやすく、複雑でないので、最も少ないアンテナを用いる無線通信デバイス１０４が有利になり得る。
【００３４】
[0048]本システムおよび方法の無線通信デバイス１０４は電力スプリッタを使う必要がない。無線通信デバイス１０４から電力スプリッタを取り除くことによって、無線通信デバイス１０４はより少ない電力を消費することができる。さらに、電力スプリッタがないことによって、無線通信デバイス１０４のコストを削減し、またダイの領域を空けることができる。本システムおよび方法の信号分割キャリア・アグリゲーション・アーキテクチャはまた、外付けの低雑音増幅器（ＬＮＡｓ）を使う必要がない。外付けの低雑音増幅器(ＬＮＡｓ)は大量の電力を消費し、かつ無線通信デバイス１０４のコストを増加する可能性がある。本システムおよび方法の信号分割キャリア・アグリゲーション・アーキテクチャの別の利点は、ダイからダイへの信号ルーティングなしで動作する機能である。ダイからダイへの信号ルーティングを取り除くことによって、無線通信デバイス１０４の複雑さとコストの両方を削減することができる。また、ダイからダイへのシグナリングを取り除くことによって、無線通信デバイス１０４上のアンテナの最適な配置を可能にする。信号分割キャリア・アグリゲーション・アーキテクチャは４つのシンセサイザーの作動を有することができる。
【００３５】
[0049]ベースバンド・デジタル・モデム１２２は、第１のＰＲｘ同相／直交（Ｉ／Ｑ）信号１１４、第２のＰＲｘ同相／直交（Ｉ／Ｑ）信号１１８、第１のＳＲｘ同相／直交（Ｉ／Ｑ）信号１１６、と第２のＳＲｘ同相／直交（Ｉ／Ｑ）信号１２０に対する処理を実行することができる。例えば、ベースバンド・デジタル・モデム１２２は、アナログ・デジタル・コンバータ（ＡＤＣｓ）を用いて、信号をデジタル・ドメインに変換し、そしてデジタル信号プロセッサ（ＤＳＰｓ）を用いてその信号に対してデジタル処理を実行することができる。ベースバンド・デジタル・モデム１２２は次に、第1キャリア信号１２４ａ、第２キャリア信号１２４ｂ、第３キャリア信号１２４ｃ、および第４キャリア信号１２４ｄを出力することができる。キャリア信号とは信号が使用したキャリアのことを指すことがある。
【００３６】
[0050]ひとつの構成において、第1キャリア信号１２４ａと第２キャリア信号１２４ｂはローバンドに位置し、一方第３キャリア信号１２４ｃと第４キャリア信号１２４ｄは、ミッドバンド内に位置することができる。これはＲｅｌ−１０にしたがって、インターバンドオペレーションまたはデュアルバンド・４−キャリアと呼ばれることがある。インターバンドオペレーションは以下の図５および図６に関連して下記で付加的な詳細の中で論じられている。その他の構成において、第1キャリア信号１２４ａ、第２キャリア信号１２４ｂ、第３キャリア信号１２４ｃ、および第４キャリア信号１２４ｄは全て、ローバンドのようなシングルバンド内に位置することができる。これは、リリース１０においてイントラバンドオペレーション、またはシングルバンド・４−キャリアと呼ばれることがある。イントラバンドオペレーションは下記の図７および図８に関連して以下の付加的な詳細の中で論じられている。
【００３７】
[0051]その他の構成において、無線通信デバイス１０４は同時ハイブリッド・デュアル・受信機（ＳＨＤＲ）モードで動作することができる。同時ハイブリッド・デュアル・受信機（ＳＨＤＲ）モードにおいて、送受信機チップ１１０のみが使われることができる（すなわち、受信機チップ１１２は使用できない)。インターバンド同時ハイブリッド・デュアル・受信機（ＳＨＤＲ）モードで動作する送受信機チップ１１０の構成は、図９に関連して下記で論じられている。イントラバンド同時ハイブリッド・デュアル・受信機（ＳＨＤＲ）モードで動作する送受信機チップ１１０の構成は、図１０に関連して下記で論じられている。
【００３８】
[0052]さらにその他の構成において、無線通信デバイス１０４は、ダイバーシティ・モードで動作することができる。ダイバーシティ・モードにおいて、送受信機チップ１１０と受信機チップ１１２の両方は同調されて、同じキャリア周波数を受信する。ダイバーシティ・モードで動作する送受信機チップ１１０の構成は、図１１に関連して下記で論じられている。ダイバーシティ・モードで動作する受信機チップ１１２の構成は、図１２に関連して下記で論じられている。
【００３９】
[0053]図２は１次信号分割キャリア・アグリゲーション・アーキテクチャ２２５を示すブロック図である。図２の１次信号分割キャリア・アグリゲーション・アーキテクチャ２２５は、図１の１次信号分割キャリア・アグリゲーション・アーキテクチャ１２５のひとつの構成であり得る。１次信号分割キャリア・アグリゲーション・アーキテクチャ１２５は１次アンテナ２０６、ローパス・ハイパス・ダイプレクサ２２６、スイッチ２２８、４つのデュプレクサ２３０ａ−ｄおよび送受信機チップ２１０を含むことができる。１次アンテナ２０６はローパス・ハイパス・ダイプレクサ２２６に結合されることができる。ローパス・ハイパス・ダイプレクサ２２６は、ローバンド周波数をひとつの信号にまとめ、かつハイバンド（またはミッドバンド）周波数を別の信号にまとめ、その結果１次アンテナ２０６がローバンド信号とミッドバンド信号の両方を送受信機チップ２１０に渡すことを許可することができる。
【００４０】
[0054]ローパス・ハイパス・ダイプレクサ２２６はスイッチ２２８に結合されることができる。スイッチ２２８は２つの入力（まとめられたローバンド周波数を含む信号とまとめられたハイバンド周波数を含む信号）と複数の出力を有することができる。ひとつの構成において、スイッチ２２８は、４つのデュプレクサ２３０(デュプレクサ２３０の複数のペアのうち６つの可能な構成を表す）に対して６つの可能な出力を有することができる。４つのデュプレクサ２３０は、第１ローバンド（ＬＢ１）のデュプレクサ２３０ａ、第２ローバンド（ＬＢ２）のデュプレクサ２３０ｂ、第１ミッドバンド（ＭＢ１）のデュプレクサ２３０ｃ、および第２ミッドバンド（ＭＢ２）のデュプレクサ２３０ｄを含むことができる。
【００４１】
[0055]上記で論じられたとおり、送受信機チップ２１０は、送信機２３２、１次受信機（ＰＲｘ）２３４および２次受信機（ＳＲｘ）２３６を含むことができる。送信機２３２は、２つのローバンド出力（ＬＢ１＿ＴｘとＬＢ２＿Ｔｘ）および２つのミッドバンド出力（ＭＢ１＿ＴｘとＭＢ２＿Ｔｘ）を含むことができる。第１ローバンド出力（ＬＢ１＿Ｔｘ）は、電力増幅器（ＰＡ）２３８ａを経由して第１ローバンド（ＬＢ１）のデュプレクサ２３０ａに結合されることができる。第２ローバンド出力（ＬＢ２＿Ｔｘ）は、電力増幅器２３８ｂを経由して第２ローバンド（ＬＢ２）のデュプレクサ２３０ｂに結合されることができる。第１ミッドバンド出力（ＭＢ１＿Ｔｘ）は、電力増幅器２３８ｃを経由して第１ミッドバンド（ＭＢ１）のデュプレクサ２３０ｃに結合されることができる。第２ミッドバンド出力（ＭＢ２＿Ｔｘ）は電力増幅器２３８ｄを経由して第２ミッドバンド（ＭＢ２）のデュプレクサ２３０ｄに結合されることができる。
【００４２】
[0056]１次受信機（ＰＲｘ）２３４は、第１ローバンド（ＬＢ１）のデュプレクサ２３０ａに結合される第１ローバンド入力（ＬＢ１＿ＰＲｘ）と、第２ローバンド（ＬＢ２）のデュプレクサ２３０ｂに結合される第２ローバンド入力（ＬＢ２＿ＰＲｘ）と、第１ミッドバンド（ＭＢ１）のデュプレクサ２３０ｃに結合される第１ミッドバンド入力（ＭＢ１＿ＰＲｘ）と、第２ミッドバンド（ＭＢ２）のデュプレクサ２３０ｄに結合される第２ミッドバンド入力（ＭＢ２＿ＰＲｘ）を含むことができる。第１ローバンド入力（ＬＢ１＿ＰＲｘ）は、相互コンダクタンス段階（Ｇｍ）２４４ａとカスコード段階（Ｃａｓ）２４６ａを含む第１ローバンド（ＬＢ１）の低雑音増幅器（ＬＮＡ）２４０ａに結合されることができる。第２ローバンド入力（ＬＢ２＿ＰＲｘ）は、相互コンダクタンス段階（Ｇｍ）２４４ｂとカスコード段階（Ｃａｓ）２４６ｂを含む第２ローバンド（ＬＢ２）の低雑音増幅器（ＬＮＡ）２４０ｂに結合されることができる。第１ミッドバンド入力（ＭＢ１＿ＰＲｘ）は、相互コンダクタンス段階（Ｇｍ）２４４ｃとカスコード段階（Ｃａｓ）２４６ｃを含む第１ミッドバンド（ＭＢ１）の低雑音増幅器（ＬＮＡ）２４２ａに結合されることができる。第２ミッドバンド入力（ＭＢ２＿ＰＲｘ）は、相互コンダクタンス段階（Ｇｍ）２４４ｄとカスコード段階（Ｃａｓ）２４６ｄを含む第２ミッドバンド（ＭＢ２）低雑音増幅器（ＬＮＡ）２４２ａに結合されることができる。
【００４３】
[0057]１次受信機（ＰＲｘ）２３４はまた、ダウンコンバータ（ＤｎＣ）２４８ａを含むことができる。ダウンコンバータ（ＤｎＣ）２４８ａは、第１ローバンド（ＬＢ１）の低雑音増幅器（ＬＮＡ）２４０ａの出力と、第２ローバンド（ＬＢ２）の低雑音増幅器（ＬＮＡ）２４０ｂの出力と、第１ミッドバンド（ＭＢ１）の低雑音増幅器（ＬＮＡ）２４２ａの出力と、第２ミッドバンド（ＭＢ２）の低雑音増幅器（ＬＮＡ）２４２ｂの出力に結合されることができる。
【００４４】
[0058]１次受信機（ＰＲｘ）２３４は、ダウンコンバータ（ＤｎＣ）２４８ａに対するダウンコンバーティング周波数を生成するために用いられる位相ロックループ（ＰＬＬ）２５４ａ、電圧制御発振器（ＶＣＯ）２５２ａ、およびＤｉｖ段階２５０ａを含むことができる。ダウンコンバータ（ＤｎＣ）２４８ａの出力は、１次受信機（ＰＲｘ）のベースバンドフィルタ（ＢＢＦ）２５６に結合されることができる。１次受信機（ＰＲｘ）のベースバンドフィルタ（ＢＢＦ）２５６は次に第１のＰＲｘ同相／直交（Ｉ／Ｑ）信号２１４を出力することができる。
【００４５】
[0059]２次受信機（ＳＲｘ）２３６は使用できない第１ローバンド入力（ＬＢ１＿ＳＲｘ）、第２ローバンド入力（ＬＢ２＿ＳＲｘ）、第１ミッドバンド入力（ＭＢ１＿ＳＲｘ）、および第２ミッドバンド入力(ＭＢ２＿ＳＲｘ）を含むことができる。第１ローバンド入力（ＬＢ１＿ＳＲｘ）は、相互コンダクタンス段階（Ｇｍ）２４４ｅとカスコード段階（Ｃａｓ）２４６ｅを含む第１ローバンド（ＬＢ１）の低雑音増幅器（ＬＮＡ）２４０ｃに結合されることができる。第２ローバンド入力（ＬＢ２＿ＳＲｘ）は、相互コンダクタンス段階（Ｇｍ）２４４ｆとカスコード段階（Ｃａｓ）２４６ｆを含む第２ローバンド（ＬＢ２）の低雑音増幅器（ＬＮＡ）２４０ｄに結合されることができる。第１ミッドバンド入力（ＭＢ１＿ＳＲｘ）は、相互コンダクタンス段階（Ｇｍ）２４４ｇとカスコード段階（Ｃａｓ）２４６ｇを含む第１ミッドバンド（ＭＢ１）の低雑音増幅器（ＬＮＡ）２４２ｃに結合されることができる。第２ミッドバンド入力(ＭＢ２＿ＳＲｘ）は、相互コンダクタンス段階（Ｇｍ）２４４ｈとカスコード段階（Ｃａｓ）２４６ｈを含む第２ミッドバンド（ＭＢ２）の低雑音増幅器（ＬＮＡ）２４２ｄに結合されることができる。ひとつの構成において、２次受信機（ＳＲｘ）２３６の第１ローバンド（ＬＢ１）の低雑音増幅器（ＬＮＡ）２４０ｃ、第２ローバンド（ＬＢ２）の低雑音増幅器（ＬＮＡ）２４０ｄ、第１ミッドバンド（ＭＢ１）の低雑音増幅器（ＬＮＡ）２４２ｃ、および第２ミッドバンド（ＭＢ２）の低雑音増幅器（ＬＮＡ）２４２ｄはそれぞれ使用できない。しかし、低雑音増幅器（ＬＮＡｓ）２４０ｃ−ｄ、２４２ｃ−ｄのいくつかのうちの一部(例えば、相互コンダクタンス段階（Ｇｍ）２４４とカスコード段階（Ｃａｓ）２４６)は、ダイバーシティ／同時ハイブリッド・デュアル受信機（ＳＨＤＲ）の受信機パス(すなわち、１次信号分割キャリア・アグリゲーション・アーキテクチャ２２５のための)の再利用を可能にするためにまだ使用され得る。
【００４６】
[0060]２次受信機（ＳＲｘ）２３６はまた、ダウンコンバータ（ＤｎＣ）２４８ｂを含むことができる。ダウンコンバータ（ＤｎＣ）２４８ｂは、第１ローバンド（ＬＢ１）の低雑音増幅器（ＬＮＡ）２４０ｃの出力、第２ローバンド（ＬＢ２）の低雑音増幅器（ＬＮＡ）２４０ｄの出力、第１ミッドバンド（ＭＢ１）の低雑音増幅器（ＬＮＡ）２４２ｃの出力、および第２ミッドバンド（ＭＢ２）の低雑音増幅器（ＬＮＡ）２４２ｄの出力に結合されることができる。２次受信機（ＳＲｘ）２３６はさらに、ダウンコンバータ（ＤｎＣ）２４８ｂに対するダウンコンバーティング周波数を生成するために用いられる位相ロックループ（ＰＬＬ）２５４ｂ、電圧制御発振器（ＶＣＯ）２５２ｂ、およびＤｉｖ段階２５０ｂを含むことができる。
【００４７】
[0061]ダウンコンバータ（ＤｎＣ）２４８ｂの出力は２次受信機（ＳＲｘ）ベースバンドフィルタ（ＢＢＦ）２５８に結合されることができる。２次受信機（ＳＲｘ）ベースバンドフィルタ（ＢＢＦ）２５８は次に、第１のＳＲｘ同相／直交（Ｉ／Ｑ）信号２１６を出力することができる。ひとつの構成において、２次受信機（ＳＲｘ）２３６は２次受信機（ＳＲｘ）の電圧制御発振器（ＶＣＯ）２５２ｂと位相ロックループ（ＰＬＬ）２５４ｂを含むことができず、または２次受信機（ＳＲｘ）の電圧制御発振器（ＶＣＯ）２５２ｂと位相ロックループ（ＰＬＬ）２５４ｂは使用できない。その代り、送受信機チップ２１０は１次受信機（ＰＲｘ）２３４で用いられる同じ電圧制御発振器（ＶＣＯ）信号２５１を２次受信機（ＳＲｘ）２３６に送り込むことができる。
【００４８】
[0062]図３は２次信号分割キャリア・アグリゲーション・アーキテクチャ３２７を示すブロック図である。図３の２次信号分割キャリア・アグリゲーション・アーキテクチャ３２７は、図１の２次信号分割キャリア・アグリゲーション・アーキテクチャ１２７のひとつの構成であり得る。２次信号分割キャリア・アグリゲーション・アーキテクチャ３２７は２次アンテナ３０８、ローパス・ハイパス・ダイプレクサ３２６、スイッチ３２８、４つの弾性表面波（ＳＡＷ）フィルタ３６０ａ−ｂ、３６２ａ−ｂおよび受信機チップ３１２を含むことができる。２次アンテナ３０８はローパス・ハイパス・ダイプレクサ３２６に結合されることができる。ローパス・ハイパス・ダイプレクサ３２６は、ローバンド周波数をひとつの信号にまとめ、かつハイバンド（またはミッドバンド）周波数を別の信号にまとめ、その結果、２次アンテナ３０８が受信機チップ３１２にローバンド信号とミッドバンド信号の両方を渡すことを可能にすることができる。
【００４９】
[0063]ローパス・ハイパス・ダイプレクサ３２６はスイッチ３２８に結合されることができる。スイッチ３２８は２つの入力（まとめられたローバンド周波数を含む信号とまとめられたハイバンド周波数を含む信号）および複数の出力を有することができる。ひとつの構成において、スイッチ３２８は、４つの弾性表面波（ＳＡＷ）フィルタ３６０、３６２(弾性表面波（ＳＡＷ）フィルタ３６０、３６２の複数のペアのうちの４つの可能な構成を表す）に対して６つの可能な出力を有することができる。４つの弾性表面波（ＳＡＷ）フィルタ３６０、３６２は、第１ローバンド（ＬＢ１）の弾性表面波（ＳＡＷ）フィルタ３６０ａ、第２ローバンド（ＬＢ２）の弾性表面波（ＳＡＷ）フィルタ３６０ｂ、第１ミッドバンド（ＭＢ１）の弾性表面波（ＳＡＷ）フィルタ３６２ａ、および第２ミッドバンド（ＭＢ２）の弾性表面波（ＳＡＷ）フィルタ３６２ｂを含むことができる。
【００５０】
[0064]受信機チップ３１２は、１次受信機（ＰＲｘ）３３４および２次受信機（ＳＲｘ）３３６を含むことができる。１次受信機（ＰＲｘ）３３４は、第１ローバンド（ＬＢ１）の弾性表面波（ＳＡＷ）フィルタ３６０ａに結合される第１ローバンド入力（ＬＢ１＿ＰＲｘ）と、第２ローバンド（ＬＢ２）の弾性表面波（ＳＡＷ）フィルタ３６０ｂに結合される第２ローバンド入力（ＬＢ２＿ＰＲｘ）と、第１ミッドバンド（ＭＢ１）の弾性表面波（ＳＡＷ）フィルタ３６２ａに結合される第１ミッドバンド入力（ＭＢ１＿ＰＲｘ）と、第２ミッドバンド（ＭＢ２）の弾性表面波（ＳＡＷ）フィルタ３６２ｂに結合される第２ミッドバンド入力（ＭＢ２＿ＰＲｘ）を含むことができる。第１ローバンド入力（ＬＢ１＿ＰＲｘ）は、相互コンダクタンス段階（Ｇｍ）３４４ａとカスコード段階（Ｃａｓ）３４６ａを含む第１ローバンド（ＬＢ１）の低雑音増幅器（ＬＮＡ）３４０ａに結合されることができる。第２ローバンド入力（ＬＢ２＿ＰＲｘ）は、相互コンダクタンス段階（Ｇｍ）３４４ｂとカスコード段階（Ｃａｓ）３４６ｂを含む第２ローバンド（ＬＢ２）の低雑音増幅器（ＬＮＡ）３４０ｂに結合されることができる。第１ミッドバンド入力（ＭＢ１＿ＰＲｘ）は、相互コンダクタンス段階（Ｇｍ）３４４ｃとカスコード段階（Ｃａｓ）３４６ｃを含む第１ミッドバンド（ＭＢ１）の低雑音増幅器（ＬＮＡ）３４２ａに結合されることができる。第２ミッドバンド入力（ＭＢ２＿ＰＲｘ）は、相互コンダクタンス段階（Ｇｍ）３４４ｄとカスコード段階（Ｃａｓ）３４６ｄを含む第２ミッドバンド（ＭＢ２）の低雑音増幅器（ＬＮＡ）３４２ｂに結合されることができる。
【００５１】
[0065]１次受信機（ＰＲｘ）３３４はまた、ダウンコンバータ（ＤｎＣ）３４８ａを含むことができる。ダウンコンバータ（ＤｎＣ）３４８ａは、第１ローバンド（ＬＢ１）の低雑音増幅器（ＬＮＡ）３４０ａの出力と、第２ローバンド（ＬＢ２）の低雑音増幅器（ＬＮＡ）３４０ｂの出力と、第１ミッドバンド（ＭＢ１）の低雑音増幅器（ＬＮＡ）３４２ａの出力と、第２ミッドバンド（ＭＢ２）の低雑音増幅器（ＬＮＡ）３４２ｂの出力に結合されることができる。
【００５２】
[0066]１次受信機（ＰＲｘ）３３４は、ダウンコンバータ（ＤｎＣ）３４８ａに対するダウンコンバーティング周波数を生成するために用いられる位相ロックループ（ＰＬＬ）３５４ａ、電圧制御発振器（ＶＣＯ）３５２ａ、およびＤｉｖ段階３５０ａを含むことができる。ダウンコンバータ（ＤｎＣ）３４８ａの出力は、１次受信機（ＰＲｘ）のベースバンドフィルタ（ＢＢＦ）３５６に結合されることができる。１次受信機（ＰＲｘ）のベースバンドフィルタ（ＢＢＦ）３５６は次に第２のＰＲｘ同相／直交（Ｉ／Ｑ）信号３１８に出力することができる。
【００５３】
[0067]２次受信機（ＳＲｘ）３３６は使用できない第１ローバンド入力（ＬＢ１＿ＳＲｘ）、第２ローバンド入力（ＬＢ２＿ＳＲｘ）、第１ミッドバンド入力（ＭＢ１＿ＳＲｘ）、および第２ミッドバンド入力(ＭＢ２＿ＳＲｘ）を含むことができる。第１ローバンド入力（ＬＢ１＿ＳＲｘ）は、相互コンダクタンス段階（Ｇｍ）３４４ｅとカスコード段階（Ｃａｓ）３４６ｅを含む第１ローバンド（ＬＢ１）の低雑音増幅器（ＬＮＡ）３４０ｃに結合されることができる。第２ローバンド入力（ＬＢ２＿ＳＲｘ）は、相互コンダクタンス段階（Ｇｍ）３４４ｆとカスコード段階（Ｃａｓ）３４６ｆを含む第２ローバンド（ＬＢ２）の低雑音増幅器（ＬＮＡ）３４０ｄに結合されることができる。第１ミッドバンド入力（ＭＢ１＿ＳＲｘ）は、相互コンダクタンス段階（Ｇｍ）３４４ｇとカスコード段階（Ｃａｓ）３４６ｇを含む第１ミッドバンド（ＭＢ１）の低雑音増幅器（ＬＮＡ）３４２ｃに結合されることができる。第２ミッドバンド入力(ＭＢ２＿ＳＲｘ）は、相互コンダクタンス段階（Ｇｍ）３４４ｈとカスコード段階（Ｃａｓ）３４６ｈを含む第２ミッドバンド（ＭＢ２）の低雑音増幅器（ＬＮＡ）３４２ｄに結合されることができる。ひとつの構成において、第１ローバンド（ＬＢ１）の低雑音増幅器（ＬＮＡ）３４０ｃ、第２ローバンド（ＬＢ２）の低雑音増幅器（ＬＮＡ）３４０ｄ、第１ミッドバンド（ＭＢ１）の低雑音増幅器（ＬＮＡ）３４２ｃ、および第２ミッドバンド（ＭＢ２）の低雑音増幅器（ＬＮＡ）３４２ｄはそれぞれ使用できない。しかし、低雑音増幅器（ＬＮＡｓ）３４０ｃ−ｄ、３４２ｃ−ｄのいくつかのうちの一部(例えば、相互コンダクタンス段階（Ｇｍ）３４４とカスコード段階（Ｃａｓ）３４６)は、ダイバーシティ／同時ハイブリッド・デュアル受信機（ＳＨＤＲ）の受信機パス(すなわち、２次信号分割キャリア・アグリゲーション・アーキテクチャ３２７のための)の再利用を可能にするためにまだ使用され得る。
【００５４】
[0068]２次受信機（ＳＲｘ）３３６はまた、ダウンコンバータ（ＤｎＣ）３４８ｂを含むことができる。ダウンコンバータ（ＤｎＣ）３４８ｂは、第１ローバンド（ＬＢ１）の低雑音増幅器（ＬＮＡ）３４０ｃの出力、第２ローバンド（ＬＢ２）の低雑音増幅器（ＬＮＡ）３４０ｄの出力、第１ミッドバンド（ＭＢ１）の低雑音増幅器（ＬＮＡ）３４２ｃの出力、および第２ミッドバンド（ＭＢ２）の低雑音増幅器（ＬＮＡ）３４２ｄの出力に結合されることができる。２次受信機（ＳＲｘ）３３６はさらに、ダウンコンバータ（ＤｎＣ）３４８ｂに対するダウンコンバーティング周波数を生成するために用いられる位相ロックループ（ＰＬＬ）３５４ｂ、電圧制御発振器（ＶＣＯ）３５２ｂ、およびＤｉｖ段階３５０ｂを含むことができる。ダウンコンバータ（ＤｎＣ）３４８ｂの出力は２次受信機（ＳＲｘ）のベースバンドフィルタ（ＢＢＦ）３５８に結合されることができる。２次受信機（ＳＲｘ）のベースバンドフィルタ（ＢＢＦ）３５８は次に第２のＳＲｘ同相／直交（Ｉ／Ｑ）信号３２０を出力することができる。ひとつの構成において、２次受信機（ＳＲｘ）３３６は２次受信機（ＳＲｘ）の電圧制御発振器（ＶＣＯ）３５２ｂと位相ロックループ（ＰＬＬ）３５４ｂを含むことができない、または２次受信機（ＳＲｘ）の電圧制御発振器（ＶＣＯ）３５２ｂと位相ロックループ（ＰＬＬ）３５４ｂは使用できない。その代り、受信機チップ３１２は１次受信機（ＰＲｘ）３３４で用いられる同じ電圧制御発振器（ＶＣＯ）の信号３５１を２次受信機（ＳＲｘ）３３６に送り込むことができる。
【００５５】
[0069]図４は信号分割キャリア・アグリゲーション・アーキテクチャを用いて信号を受信するための方法４００のフロー図である。方法４００は無線通信デバイス１０４によって実行されることができる。無線通信デバイス１０４は４０２において、１次アンテナ１０６を用いる第１信号を受信することができる。無線通信デバイス１０４は４０４において、第１のＰＲｘ同相／直交（Ｉ／Ｑ）信号１１４を取得するために、送受信機チップ１１０上の１次受信機（ＰＲｘ）２３４を経由して第１信号を転送することができる。無線通信デバイス１０４はまた４０６において、第１のＳＲｘ同相／直交（Ｉ／Ｑ）信号１１６を取得するために送受信機チップ１１０上の２次受信機（ＳＲｘ）２３６を経由して第１信号を転送することができる。
【００５６】
[0070]無線通信デバイス１０４は４０８において、２次アンテナ１０８を用いる第２信号を受信することができる。無線通信デバイス１０４は４１０において、第２のＰＲｘ同相／直交（Ｉ／Ｑ）信号１１８を取得するために、受信機チップ１１２上の１次受信機（ＰＲｘ）３３４を経由して第２信号を転送することができる。無線通信デバイス１０４はまた４１２において、第２のＳＲｘ同相／直交（Ｉ／Ｑ）信号１２０を取得するために、受信機チップ１１２上の２次受信機（ＳＲｘ）３３６を経由して第２信号を転送することができる。
【００５７】
[0071]図５は、インターバンドオペレーション中の１次信号分割キャリア・アグリゲーション・アーキテクチャ２２５を示すブロック図である。図５の１次信号分割キャリア・アグリゲーション・アーキテクチャ２２５は、図２の１次信号分割キャリア・アグリゲーション・アーキテクチャ２２５であっても良い。１次アンテナ２０６はデュアルバンド・４−キャリア信号(例えば、２つの別々のバンド上の４つのキャリア）を受信するために用いられる。第１のＰＲｘ同相／直交（Ｉ／Ｑ）信号２１４を取得するための１次アンテナ２０６から１次受信機（ＰＲｘ）２３４に至るルーティング５３１が示される。第１のＰＲｘ同相／直交（Ｉ／Ｑ）信号２１４はこの構成のために第１帯域(例えば、ローバンド)からの２つのキャリアを含むことができる。
【００５８】
[0072]第１のＳＲｘ同相／直交（Ｉ／Ｑ）信号２１６を取得するための１次アンテナ２０６から２次受信機（ＳＲｘ）２３６に至るルーティング５３５が同様に示される。第１のＳＲｘ同相／直交（Ｉ／Ｑ）信号２１６はこの構成のために第２帯域(例えば、ミッドバンド)からの２つのキャリアを含むことができる。第１のＳＲｘ同相／直交（Ｉ／Ｑ）信号２１６を取得するための１次アンテナ２０６から２次受信機（ＳＲｘ）２３６に至るルーティング５３５は、信号分割段階５３３を通過することができる。信号分割段階５３３は１次信号分割キャリア・アグリゲーション・アーキテクチャ２２５がダイバーシティ／同時ハイブリッド・デュアル受信機（ＳＨＤＲ）の受信機パスを再利用することを許可することができる。信号分割段階５３３は、相互コンダクタンス段階（Ｇｍ）２４４ｃの後、１次受信機（ＰＲｘ）２３４内の低雑音増幅器（ＬＮＡ）(例えば、第１ミッドバンド（ＭＢ１）の低雑音増幅器（ＬＮＡ）２４２ａ)から信号を取得し、そしてその信号を、２次受信機（ＳＲｘ）２３６内の低雑音増幅器（ＬＮＡ）(例えば、第１ミッドバンド（ＭＢ１）の低雑音増幅器（ＬＮＡ）２４２ｃ)のある段階(例えば、カスコード段階（Ｃａｓ）２４６ｇ)に転送することができる。他の構成（不図示）において、信号分割段階５３３は、１次受信機（ＰＲｘ）２３４内の第１ミッドバンド（ＭＢ１）の低雑音増幅器（ＬＮＡ）２４２ａに入力された信号を取得し、そしてその信号を２次受信機（ＳＲｘ）２３６内の第１ミッドバンド（ＭＢ１）の低雑音増幅器（ＬＮＡ）２４２ｃの相互コンダクタンス段階（Ｇｍ）２４４ｇに転送することができる。信号分割段階５３３は、図１３および図１４に関連して下記で追加的に詳しく論じられている。送信機２３２から１次アンテナ２０６に至るルーティング５２９が同様に示される。
【００５９】
[0073]図６はインターバンドオペレーション中の２次信号分割キャリア・アグリゲーション・アーキテクチャ３２７を示すブロック図である。図６の２次信号分割キャリア・アグリゲーション・アーキテクチャ３２７は図３の２次信号分割キャリア・アグリゲーション・アーキテクチャ３２７であっても良い。２次アンテナ３０８はデュアルバンド・４−キャリア信号を受信するために使われることができる。第２のＰＲｘ同相／直交（Ｉ／Ｑ）信号３１８を取得するための２次アンテナ３０８から１次受信機（ＰＲｘ）３３４に至るルーティング６３１が示される。第２のＰＲｘ同相／直交（Ｉ／Ｑ）信号３１８は、この構成のためにローバンドからの２つのキャリアを含むことができる。
【００６０】
[0074]第２のＳＲｘ同相／直交（Ｉ／Ｑ）信号３２０を取得するための２次アンテナ３０８から２次受信機（ＳＲｘ）３３６に至るルーティング６３７が同様に示される。第２のＳＲｘ同相／直交（Ｉ／Ｑ）信号３２０は、この構成のためにミッドバンドからの２つのキャリアを含むことができる。第２のＳＲｘ同相／直交（Ｉ／Ｑ）信号３２０を取得するための２次アンテナ３０８から２次受信機（ＳＲｘ）３３６に至るルーティング６３７は信号分割段階６３３を通過することができる。信号分割段階６３３は、２次信号分割キャリア・アグリゲーション・アーキテクチャ３２７がダイバーシティ／同時ハイブリッド・デュアル受信機（ＳＨＤＲ）の受信機パスを再利用することを可能にすることができる。信号分割段階６３３は、相互コンダクタンス段階（Ｇｍ）３４４ｃの後、１次受信機（ＰＲｘ）３３４における第１ミッドバンド（ＭＢ１）の低雑音増幅器（ＬＮＡ）３４２ａから信号を取得し、そしてその信号を２次受信機（ＳＲｘ）３３６内の第１ミッドバンド（ＭＢ１）の低雑音増幅器（ＬＮＡ）３４２ｃのカスコード段階（Ｃａｓ）３４６ｇに転送することができる。その他の構成（不図示）において、信号分割段階６３３は、１次受信機（ＰＲｘ）３３４における第１ミッドバンド（ＭＢ１）の低雑音増幅器（ＬＮＡ）３４２ｂに入力された信号を取得し、そしてその信号を２次受信機（ＳＲｘ）３３６における第１ミッドバンド（ＭＢ１）の低雑音増幅器（ＬＮＡ）３４２ｃの相互コンダクタンス段階（Ｇｍ）３４４ｇに転送することができる。信号分割段階６３３は、図１３および図１４に関連して、下記の追加の詳細の中で論じられている。
【００６１】
[0075]図７は、イントラバンドオペレーション中の１次信号分割キャリア・アグリゲーション・アーキテクチャ２２５を示すブロック図である。図７の１次信号分割キャリア・アグリゲーション・アーキテクチャ２２５は、図２の１次信号分割キャリア・アグリゲーション・アーキテクチャ２２５であっても良い。１次信号分割キャリア・アグリゲーション・アーキテクチャ２２５において、信号分割に起因して、６デシベル（ｄＢ）の信号損失は０．２−０．５ｄＢ  ＮＦの低下になる。１次アンテナ２０６はシングルバンド・４−キャリア信号を受信するために用いられ得る。第１のＰＲｘ同相／直交（Ｉ／Ｑ）信号２１４を取得するための１次アンテナ２０６から１次受信機（ＰＲｘ）２３４に至るルーティング７３１が示される。第１のＰＲｘ同相／直交（Ｉ／Ｑ）信号２１４はこの構成のためにローバンドからの２つのキャリアを含むことができる。
【００６２】
[0076]第１のＳＲｘ同相／直交（Ｉ／Ｑ）信号２１６を取得するための１次アンテナ２０６から２次受信機（ＳＲｘ）２３６に至るルーティング７３９が同様に示される。第１のＳＲｘ同相／直交（Ｉ／Ｑ）信号２１６はこの構成のためにローバンドからの別の２つのキャリアを含むことができる。第１のＳＲｘ同相／直交（Ｉ／Ｑ）信号２１６を取得するための１次アンテナ２０６から２次受信機（ＳＲｘ）２３６に至るルーティング７３９は、信号分割段階７３３を通過することができる。上述したように、信号分割段階７３３は１次信号分割キャリア・アグリゲーション・アーキテクチャ２２５がダイバーシティ／同時ハイブリッド・デュアル受信機（ＳＨＤＲ）の受信機パスを再利用することを可能にすることができる。信号分割段階７３３は、相互コンダクタンス段階（Ｇｍ）２４４ａの後、１次受信機（ＰＲｘ）２３４内の第１ローバンド（ＬＢ１）の低雑音増幅器（ＬＮＡ）２４０ａから信号を取得し、そしてその信号を、２次受信機（ＳＲｘ）２３６内の第１ローバンド（ＬＢ１）の低雑音増幅器（ＬＮＡ）２４０ｃのカスコード段階（Ｃａｓ）２４６ｅに転送することができる。その他の構成（不図示）において、信号分割段階７３３は、１次受信機（ＰＲｘ）２３４内の第１ローバンド（ＬＢ１）の低雑音増幅器（ＬＮＡ）２４０ａに入力された信号を取得し、そしてその信号を２次受信機（ＳＲｘ）２３６内の第１ローバンド（ＬＢ１）の低雑音増幅器（ＬＮＡ）２４０ｃの相互コンダクタンス段階（Ｇｍ）２４４ｅに転送することができる。信号分割段階７３３は、図１３および図１４に関連して下記で追加的に詳しく論じられている。送信機２３２から１次アンテナ２０６に至るルーティング７２９が同様に示される。
【００６３】
[0077]図８はイントラバンドオペレーション中の２次信号分割キャリア・アグリゲーション・アーキテクチャ３２７を示すブロック図である。図８の２次信号分割キャリア・アグリゲーション・アーキテクチャ３２７は図３の２次信号分割キャリア・アグリゲーション・アーキテクチャ３２７であっても良い。２次アンテナ３０８はシングルバンド・４−キャリア信号を受信するために使われることができる。第２のＰＲｘ同相／直交（Ｉ／Ｑ）信号３１８を取得するための２次アンテナ３０８から１次受信機（ＰＲｘ）３３６までのルーティング８３１が示される。第２のＰＲｘ同相／直交（Ｉ／Ｑ）信号３１８は、この構成のためにローバンドからの２つのキャリアを含むことができる。
【００６４】
[0078]第２のＳＲｘ同相／直交（Ｉ／Ｑ）信号３２０を取得するための２次アンテナ３０８から２次受信機（ＳＲｘ）３３６に至るルーティング８８１が同様に示される。第２のＳＲｘ同相／直交（Ｉ／Ｑ）信号３２０は、この構成のためにローバンドからの別の２つのキャリアを含むことができる。第２のＳＲｘ同相／直交（Ｉ／Ｑ）信号３２０を取得するための２次アンテナ３０８から２次受信機（ＳＲｘ）３３６に至るルーティング８８１は信号分割段階８３３を通過することができる。上述したように、信号分割段階８３３は、２次信号分割キャリア・アグリゲーション・アーキテクチャ３２７がダイバーシティ／同時ハイブリッド・デュアル受信機（ＳＨＤＲ）の受信機パスを再利用するのを可能にすることができる。その他の構成（不図示）において、信号分割段階８３３は、１次受信機（ＰＲｘ）３３４内の第１ローバンド（ＬＢ１）の低雑音増幅器（ＬＮＡ）３４０ａに入力された信号を取得し、そしてその信号を２次受信機（ＳＲｘ）３３６内の第１ローバンド（ＬＢ１）の低雑音増幅器（ＬＮＡ）３４０ｃの相互コンダクタンス段階（Ｇｍ）３４４ｅに転送することができる。信号分割段階８３３は、図１３および図１４に関連して、下記の追加の詳細の中で論じられている。
【００６５】
[0079]図９は、インターバンド同時ハイブリッド・デュアル・受信機（ＳＨＤＲ）モードで動作する１次信号分割キャリア・アグリゲーション・アーキテクチャ２２５を示すブロック図である。図９の１次信号分割キャリア・アグリゲーション・アーキテクチャ２２５は図２の１次信号分割キャリア・アグリゲーション・アーキテクチャ２２５であっても良い。１次アンテナ２０６は、ローバンドキャリアとミッドバンドキャリア上の信号を受信するために使われることができる。第１のＰＲｘ同相／直交（Ｉ／Ｑ）信号２１４を取得するための１次アンテナ２０６から１次受信機（ＰＲｘ）２３４に至るルーティング９３１が示される。第１のＰＲｘ同相／直交（Ｉ／Ｑ）信号２１４はこの構成のためにローバンドキャリアを含むことができる。
【００６６】
[0080]第１のＳＲｘ同相／直交（Ｉ／Ｑ）信号２１６を取得するための１次アンテナ２０６から２次受信機（ＳＲｘ）２３６に至るルーティング９４３が同様に示される。第１のＳＲｘ同相／直交（Ｉ／Ｑ）信号２１６は、この構成のためにミッドバンドキャリアを含むことができる。第１のＳＲｘ同相／直交（Ｉ／Ｑ）信号２１６を取得するための１次アンテナ２０６から２次受信機（ＳＲｘ）２３６に至るルーティング９４３は信号分割段階９３３を通過することができる。信号分割段階９３３は、相互コンダクタンス段階（Ｇｍ）２４４ｃの後、１次受信機（ＰＲｘ）２３４内の第１ミッドバンド（ＭＢ１）の低雑音増幅器（ＬＮＡ）２４２ａから信号を取得し、そしてその信号を２次受信機（ＳＲｘ）２３６内の第１ミッドバンド（ＭＢ１）の低雑音増幅器（ＬＮＡ）２４２ｃのカスコード段階（Ｃａｓ）２４６ｇに転送することができる。その他の構成（不図示）において、信号分割段階９３３は１次受信機（ＰＲｘ）２３４内の第１ミッドバンド（ＭＢ１）の低雑音増幅器（ＬＮＡ）２４２ａに入力された信号を取得し、そしてその信号を２次受信機（ＳＲｘ）２３６内の第１ミッドバンド（ＭＢ１）の低雑音増幅器（ＬＮＡ）２４２ｃの相互コンダクタンス段階（Ｇｍ）２４４ｇに転送することができる。信号分割段階９３３は、図１３および図１４に関連して下記の追加の詳細の中で論じられている。送信機２３２から１次アンテナ２０６へのルーティング９２９が同様に示される。
【００６７】
[0081]図１０は、イントラバンド同時ハイブリッド・デュアル・受信機（ＳＨＤＲ）モードで動作する１次信号分割キャリア・アグリゲーション・アーキテクチャ２２５を示すブロック図である。図１０の１次信号分割キャリア・アグリゲーション・アーキテクチャ２２５は、図２の１次信号分割キャリア・アグリゲーション・アーキテクチャ２２５であっても良い。１次アンテナ２０６は２つのローバンドキャリア上の信号を受信するために使われることができる。第１のＰＲｘ同相／直交（Ｉ／Ｑ）信号２１４を取得するための１次アンテナ２０６から１次受信機（ＰＲｘ）２３４に至るルーティング１０３１が示される。第１のＰＲｘ同相／直交（Ｉ／Ｑ）信号２１４は、この構成のためにローバンドキャリアのうちの１つを含むことができる。
【００６８】
[0082]第１のＳＲｘ同相／直交（Ｉ／Ｑ）信号２１６を取得するための１次アンテナ２０６から２次受信機（ＳＲｘ）２３６に至るルーティング１０４５が同様に示される。第１のＳＲｘ同相／直交（Ｉ／Ｑ）信号２１６はこの構成のために別のローバンドキャリアを含むことができる。第１のＳＲｘ同相／直交（Ｉ／Ｑ）信号２１６を取得するための１次アンテナ２０６から２次受信機（ＳＲｘ）２３６に至るルーティング１０４５は信号分割段階１０３３を通過することができる。信号分割段階１０３３は、相互コンダクタンス段階（Ｇｍ）２４４ａの後、１次受信機（ＰＲｘ）２３４内の第１ローバンド（ＬＢ１）の低雑音増幅器（ＬＮＡ）２４０ａから信号を取得し、そしてその信号を２次受信機（ＳＲｘ）２３６内の第１ローバンド（ＬＢ１）の低雑音増幅器（ＬＮＡ）２４０ｃのカスコード段階（Ｃａｓ）２４６ｅに転送することができる。その他の構成（不図示）において、信号分割段階１０３３は１次受信機（ＰＲｘ）２３４内の第１ローバンド（ＬＢ１）の低雑音増幅器（ＬＮＡ）２４０ａに入力された信号を取得し、そしてその信号を２次受信機（ＳＲｘ）２３６内の第１ローバンド（ＬＢ１）の低雑音増幅器（ＬＮＡ）２４０ｃの相互コンダクタンス段階（Ｇｍ）２４４ｅに転送することができる。信号分割段階１０３３は、図１３および図１４に関連して、下記の追加の詳細の中で論じられている。送信機２３２から１次アンテナ２０６へのルーティング１０２９が同様に示されている。
【００６９】
[0083]図１１は、ダイバーシティ・モードで動作する１次信号分割キャリア・アグリゲーション・アーキテクチャ２２５を示すブロック図である。図１０の１次信号分割キャリア・アグリゲーション・アーキテクチャ２２５は図２の１次信号分割キャリア・アグリゲーション・アーキテクチャ２２５であっても良い。１次アンテナ２０６は、ローバンドキャリア上の信号を受信するために使われることができる。第１のＰＲｘ同相／直交（Ｉ／Ｑ）信号２１４を取得するための１次アンテナ２０６から１次受信機（ＰＲｘ）２３４に至るルーティング１１３１が示される。第１のＰＲｘ同相／直交（Ｉ／Ｑ）信号２１４はこの構成のためにローバンドキャリアを含むことができる。送信機２３２から１次アンテナ２０６へのルーティング１１２９が同様に示される。ダイバーシティ・モードにおいて、２次受信機（ＳＲｘ）２３６を経由して使われるルーティングは無い。しかし、ダイバーシティ・モードにおいて、１つではなく２つのシンセサイザーが稼働される必要があり得る。このことが、ダイバーシティ・モードにおいてより高い電力消費を導くことができる。
【００７０】
[0084]図１２は、ダイバーシティ・モードで動作する２次信号分割キャリア・アグリゲーション・アーキテクチャ３２７を示すブロック図である。図１２の２次信号分割キャリア・アグリゲーション・アーキテクチャ３２７は図３の２次信号分割キャリア・アグリゲーション・アーキテクチャ３２７であっても良い。２次アンテナ３０８は、ローバンドキャリア上の信号を受信するために使われることができる。第２のＰＲｘ同相／直交（Ｉ／Ｑ）信号３１８を取得するための２次アンテナ３０８から１次受信機（ＰＲｘ）３３４に至るルーティング１２３１が示される。第２のＰＲｘ同相／直交（Ｉ／Ｑ）信号３１８は、この構成のためにローバンドキャリアを含むことができる。ダイバーシティ・モードにおいて、２次受信機（ＳＲｘ）３３６を経由して使われるルーティングは無い。
【００７１】
[0085]図１３は、信号分割段階１３３３を示すブロック図である。図１３の信号分割段階１３３３は、図５における信号分割段階５３３、図６における信号分割段階６３３、図７における信号分割段階７３３、図８における信号分割段階８３３、図９における信号分割段階９３３、および図１０における信号分割段階１０３３のうちのひとつの構成であっても良い。信号分割段階１３３３は、第１相互コンダクタンス段階（Ｇｍ）１３４４ａ、第１カスコード段階（Ｃａｓ）１３４６ａ、第２相互コンダクタンス段階（Ｇｍ）１３４４ｂ、第２カスコード段階（Ｃａｓ）１３４６ｂ、および受動型混合器１３４８ａ−ｄを含むことができる。第１相互コンダクタンス段階（Ｇｍ）１３４４ａと第１カスコード段階（Ｃａｓ）１３４６ａは１次受信機（ＰＲｘ）上の低雑音増幅器（ＬＮＡ）の一部であっても良く、一方第２相互コンダクタンス段階（Ｇｍ）１３４４ｂと第２カスコード段階（Ｃａｓ）１３４６ｂは、２次受信機（ＳＲｘ）上の低雑音増幅器（ＬＮＡ）の一部であっても良い。
【００７２】
[0086]第１相互コンダクタンス段階（Ｇｍ）１３４４ａの出力は第１カスコード段階（Ｃａｓ）１３４６ａに入力されることができる。第１カスコード段階（Ｃａｓ）１３４６ａの出力は次に受動型混合器１３４８ａ−ｂを経由して混合され、１次受信機（ＰＲｘ）の信号のうちの１次受信機（ＰＲｘ）の同相信号ＰＲｘ＿Ｉ＿ＣＨ１３６０ａ−ｂと１次受信機（ＰＲｘ）の直交信号ＰＲｘ＿Ｑ＿ＣＨ１３６０ｃ−ｄを取得することができる。信号分割段階１３３３において、信号分割は第１相互コンダクタンス段階（Ｇｍ）１３４４ａの後生じ、それによって第１相互コンダクタンス段階（Ｇｍ）１３４４ａの出力は第２カスコード段階（Ｃａｓ）１３４６ｂの入力に入力されることができる。第２カスコード段階（Ｃａｓ）１３４６ｂの出力は次に受動型混合器１３４８ｃ−ｄを経由して混合され、２次受信機（ＳＲｘ）の信号のうちの２次受信機（ＳＲｘ）の同相信号ＳＲｘ＿Ｉ＿ＣＨ１３６０ｅ−ｆと２次受信機（ＳＲｘ）の直交信号ＳＲｘ＿Ｑ＿ＣＨ１３６０ｇ−ｈを取得することができる。
【００７３】
[0087]スイッチは、クリーンなスタンドアロンオペレーションを可能にするために１次受信機（ＰＲｘ）と２次受信機（ＳＲｘ）の間で使われることができる。低雑音増幅器（ＬＮＡ）のトポロジーが信号分割検出ポイントを駆動することができる。
【００７４】
[0088]図１４は別の信号分割段階を示すブロック図である。図１４の信号分割段階１４３３は、図５における信号分割段階５３３、図６における信号分割段階６３３、図７における信号分割段階７３３、図８における信号分割段階８３３、図９における信号分割段階９３３、および図１０における信号分割段階１０３３のうちのひとつの構成であっても良い。信号分割段階１４３３は、第１段階の増幅器１４４４、第２段階の増幅器１４４６、および受動型混合器１４４８ａ−ｄのセットを含むことができる。図１４の第１段階の増幅器１４４４は、図２および図３の相互コンダクタンス段階（ＧＭ）２４４、３４４のうちのひとつの構成であっても良い。ひとつの構成において、第２段階の増幅器１４４６は、(図２に示されるカスコード段階２４６と図３に示されるカスコード段階３４６のような）カスコード段階であっても良い。上段の第１段階の増幅器１４４４と上段の第２段階の増幅器１４４６は１次受信機（ＰＲｘ）上の低雑音増幅器（ＬＮＡ）の一部であって良く、一方下段の第１段階の増幅器１４４４と下段の第２段階の増幅器１４４６は、２次受信機（ＳＲｘ）上の低雑音増幅器（ＬＮＡ）の一部であっても良い。
【００７５】
[0089]上段の第１段階の増幅器１４４４の出力は、上段の第２段階の増幅器１４４６に入力されることができる。上段の第２段階の増幅器１４４６の出力は次に受動型混合器１４４８ａ−ｂを経由して混合され、１次受信機（ＰＲｘ）の信号のうちの１次受信機（ＰＲｘ）の同相信号ＰＲｘ＿Ｉ＿ＣＨ１４６０ａ−ｂと１次受信機（ＰＲｘ）の直交信号ＰＲｘ＿Ｑ＿ＣＨ１４６０ｃ−ｄを取得することができる。信号分割段階１４３３において、信号分割は上段の第２段階の増幅器１４４６の後生じ、それによって上段の第２段階の増幅器１４４６の出力は２次受信機（ＳＲｘ）の受動型混合器１４４８ｃ−ｄに入力され、２次受信機（ＳＲｘ）の信号のうちの２次受信機（ＳＲｘ）の同相信号ＳＲｘ＿Ｉ＿ＣＨ１４６０ｅ−ｆと２次受信機（ＳＲｘ）の直交信号ＳＲｘ＿Ｑ＿ＣＨ１４６０ｇ―ｈを取得することができる。
【００７６】
[0090]図１５は、無線通信デバイス２１０４内に含まれ得る特定のコンポーネントを示すことができる。無線通信デバイス２１０４はアクセス端末、移動局、ユーザ装置（ＵＥ）等であっても良い。無線通信デバイス２１０４はプロセッサ２１０３を含む。プロセッサ２１０３は汎用シングルチップまたはマルチチップ・マイクロプロセッサ(例えば、ＡＲＭ）、特殊目的マイクロプロセッサ(例えば、デジタル信号プロセッサ（ＤＳＰ））、マイクロコントローラ、プログラマブル・ゲート・アレイ等であっても良い。プロセッサ２１０３は中央演算処理装置（ＣＰＵ）と呼ばれることがある。図１５の無線通信デバイス２１０４内に、まさにシングルプロセッサ２１０３が示されているが、代替的な構成において、複数のプロセッサの組み合わせ(例えば、ＡＲＭおよびＤＳＰ）が使われる可能性もある。
【００７７】
[0091]無線通信デバイス２１０４はまたメモリ２１０５を含む。メモリ２１０５は電子情報を記憶できる任意の電子コンポーネントであっても良い。メモリ２１０５は、ランダム・アクセス・メモリ（ＲＡＭ）、読取専用メモリ（ＲＯＭ）、磁気ディスク記憶媒体、光学式記憶媒体、ＲＡＭにおけるフラッシュ・メモリ・デバイス、プロセッサと共に含まれるオンボードメモリ、ＥＰＲＯＭメモリ、ＥＥＰＲＯＭメモリ、それらの組み合わせを含むレジスタ等として組み込まれることができる。
【００７８】
[0092]データ２１０７ａと命令２１０９ａはメモリ２１０５に記憶されることができる。命令２１０９ａは、ここで開示される方法を実施するためにプロセッサ２１０３によって実行可能であり得る。命令２１０９ａを実行することはメモリ２１０５に記憶されているデータ２１０７ａの使用を必要とする。プロセッサ２１０３が命令２１０９を実行する時、命令２１０９ｂの様々な部分がプロセッサ２１０３にロードされることができ、またデータ２１０７ｂの様々な断片がプロセッサ２１０３にロードされることができる。
【００７９】
[0093]無線通信デバイス２１０４はまた、第１アンテナ２１１７ａと第２アンテナ２１１７ｂを経由して無線通信デバイス２１０４への信号の送信および無線通信デバイス２１０４からの信号の受信を可能にするための送信機２１１１と受信機２１１３を含むことができる。送信機２１１１と受信機２１１３は一括して送受信機２１１５と呼ばれることがある。無線通信デバイス２１０４はまた、複数の送信機、追加のアンテナ、複数の受信機および／または複数のトランシーバを含むことができる（不図示）。
【００８０】
[0094]無線通信デバイス２１０４は、デジタル信号プロセッサ（ＤＳＰ）２１２１を含むことができる。無線通信デバイス２１０４はまた、通信インターフェース２１２３を含むことができる。通信インターフェース２１２３は、ユーザが無線通信デバイス２１０４とやりとりすることを可能にすることができる。
【００８１】
[0095]無線通信デバイス２１０４の様々なコンポーネントは、電力バス、制御信号バス、ステータス信号バス、データバス等を含むことができる、１つまたは複数のバスによって共に連結されることができる。明瞭さのために、様々なバスはバスシステム２１１９として図１５に示されている。
【００８２】
[0096]用語「決定する(determining)」は、多種多様な動作を含む、そのため「決定する」は、算出する(calculating)、計算する(computing)、処理する(processing)、導く(deriving)、調査する(investigating)、検索する(looking up)（例えば、テーブル、データベース、または別のデータ構造を検索する）、確認する(ascertaining)等、を含むことができる。また、「決定する」は、受信する(receiving)(例えば、情報を受信する）、アクセスする(accessing)(例えば、メモリ内のデータにアクセスする）等を含むことができる。また、「決定する」は、解決する(resolving)、選択する(selecting)、選ぶ（choosing)、確立する(establishing)等を含むことができる。
【００８３】
[0097]フレーズ「〜に基づく(based on)」は、はっきりと特定されていないのであれば、「〜のみに基づく」という意味ではない。言い換えれば、フレーズ「〜に基づく」は、「〜のみに基づく(based only on)」と「少なくとも〜に基づく(based at least on)」の両方を表す。
【００８４】
[0098]用語「プロセッサ]は、汎用プロセッサ、中央演算処理ユニット（ＣＰＵ）、マイクロプロセッサ、デジタル信号プロセッサ（ＤＳＰ）、コントローラ、マイクロコントローラ、ステート・マシン等を含むように広義に解釈されるべきである。いくつかの状況下で、「プロセッサ」は、アプリケーション特有の集積回路（ＡＳＩＣ）、プログラマブル・ロジック・デバイス（ＰＬＤ）、フィールド・プログラマブル・ゲート・アレイ（ＦＰＧＡ）等を指すことがある。用語「プロセッサ」は処理装置の組み合わせ、例えば、ＤＳＰとマイクロプロセッサの組み合わせ、複数のマイクロプロセッサ、ＤＳＰコアを併用する１つまたは複数のマイクロプロセッサ、あるいはその他のこういった構成を指すことがある。
【００８５】
[0099]用語「メモリ」は、電子情報を記憶できる任意の電子コンポーネントを含むように広義に解釈されるべきである。用語メモリは、ランダム・アクセス・メモリ（ＲＡＭ）、読取専用メモリ（ＲＯＭ）、非揮発性ランダム・アクセス・メモリ（ＮＶＲＡＭ）、プログラマブル読み取り専用メモリ（ＰＲＯＭ）、消去可能なプログラマブル読み取り専用メモリ(ＥＰＲＯＭ)、電気的に消去可能なＰＲＯＭ(ＥＥＰＲＯＭ)、フラッシュメモリ、磁気または光学データストレージ、レジスタ等のような様々なタイプのプロセッサ可読媒体を指すことができる。プロセッサが情報をメモリから読み出すおよび／または情報をメモリに書き込むことができる場合、メモリはプロセッサと電子通信状態であると言える。プロセッサに内蔵されるメモリは、プロセッサと電子通信状態である。
【００８６】
[0100]用語「命令」と「コード」は、任意のタイプの（複数の）コンピュータ可読ステートメント(statement(s))を含むように広義に解釈されるべきである。例えば、用語「命令」と「コード」は１つまたは複数のプログラム、ルーチン、サブルーチン、関数、プロシージャ等を指すことができる。「命令」と「コード」は、単一のコンピュータ可読ステートメントまたは多数のコンピュータ可読ステートメントを備えることができる。
【００８７】
[0101]ここに記載された関数は、ハードウェア、ソフトウェア、ファームウェア、またはそれらの任意の組み合わせにおいて実行されることができる。ソフトウェアで実行される場合、関数はコンピュータ可読媒体上に１つまたは複数の命令として記憶されることができる。用語「コンピュータ可読媒体」または「コンピュータプログラム製品」はコンピュータによってアクセスされ得る任意の利用可能な媒体を指す。１例として、また限定ではなく、コンピュータ可読媒体は、命令またはデータ構造の形式で所望のプログラムコードを持ち運びするかまたは記憶するために使われることができ、かつコンピュータによってアクセスされることができるＲＡＭ、ＲＯＭ、ＥＥＰＲＯＭ、ＣＤ―ＲＯＭまたはその他の光学ディスク記憶装置、磁気ディスク記憶装置またはその他の磁気記憶装置、またはいずれその他の媒体を備えることができる。ディスク(Disk)とディスク(disc)は、ここで使われるように、コンパクトディスク(compact disc)（ＣＤ）、レーザーディスク（登録商標）(laser disc)、光学ディスク(optical disc)、デジタル汎用ディスク（ＤＶＤ）(digital versatile disc)、フロッピー（登録商標）ディスク(floppy disk)、およびブルーレイ（登録商標）ディスク(Blu-ray（登録商標） disc)を含み、ここでディスク(disks)は通常データを磁気的に再生し、一方ディスク(discs)はレーザーを用いてデータを光学的に再生する。
【００８８】
[0102]ソフトウェアまたは命令はまた送信媒体上を送信されることができる。例えば、ソフトウェアが、同軸ケーブル、光ファイバーケーブル、ツイストペア、デジタル加入者線（ＤＳＬ）、または赤外線、無線およびマイクロ波のような無線テクノロジーを用いてウェブサイト、サーバー、またはその他の遠隔ソースから送信される場合、同軸ケーブル、光ファイバーケーブル、ツイストペア、ＤＳＬ、または赤外線、無線およびマイクロ波のような無線テクノロジーは、送信媒体の定義に含まれる。
【００８９】
[0103]ここに記載した方法は、記載した方法を達成するための１つまたは複数のステップまたは動作を備える。方法のステップおよび／または動作は請求項の範囲から逸脱することなく互いに入れ替えられることが可能である。言い換えれば、ステップまたは動作の特定の順序が、記載されている方法の適切なオペレーションのために要求されていない場合、特定のステップおよび／または動作の順序および／または使用は、請求項の範囲を逸脱することなく修正されることができる。
【００９０】
[0104]さらに、図４によって示されたように、ここに記載された方法および技術を実行するためのモジュールおよび／またはその他の適切な手段は、デバイスによってダウンロードされ、および／またそうでなければ取得されることができることを理解されるべきである。例えば、デバイスはサーバーに結合され、ここに記載された方法を実行するための手段の送信を容易にすることができる。代わりに、ここに記載された様々な方法は、記憶手段(例えば、ランダム・アクセス・メモリ（ＲＡＭ）、読取専用メモリ（ＲＯＭ）、コンパクトディスク（ＣＤ）またはフロッピー（登録商標）ディスクのような物理記憶媒体等）を経由して提供されることができ、その結果、デバイスは記憶手段を装置に結合または提供するとすぐに、様々な方法を取得することができる。さらに、ここに記載された方法および技術を装置に提供するためのいずれその他の適切な技術が利用されることができる。
【００９１】
［0105]請求項は上記に示された明記された構成およびコンポーネントに限定されないことが理解されるべきである。様々な修正、変更、およびバリエーションが請求項の範囲から逸脱することなくここに記載されたシステム、方法、および装置の配置、オペレーション、および詳細において行われることができる。
以下に、本願出願の当初の特許請求の範囲に記載された発明を付記する。
［Ｃ１］複数のキャリア信号を受信するために構成された無線通信デバイスであって、
１次アンテナと、
送受信機チップと、
を備える、１次信号分割キャリア・アグリゲーション・アーキテクチャと、
２次アンテナと、
受信機チップと、
を備える、２次信号分割キャリア・アグリゲーション・アーキテクチャと、
を備え、
ここにおいて、前記１次信号分割キャリア・アグリゲーション・アーキテクチャは第１のダイバーシティ／同時ハイブリッド・デュアル受信機パスを再利用し、ここにおいて、前記２次信号分割キャリア・アグリゲーション・アーキテクチャは第２のダイバーシティ／同時ハイブリッド・デュアル受信機パスを再利用する、無線通信デバイス。
［Ｃ２］前記１次信号分割キャリア・アグリゲーション・アーキテクチャと前記２次信号分割キャリア・アグリゲーション・アーキテクチャは４つのアンテナ、電力スプリッタ、外付けの低雑音増幅器、またはダイからダイへの信号ルーティングを必要としない、［Ｃ１］の前記無線通信デバイス。
［Ｃ３］前記送受信機チップが、
送信機と、
第１の１次受信機と、
第１の２次受信機と、を備え、
そしてここにおいて、前記受信機チップが、第２の１次受信機と第２の２次受信機を備え、
ここにおいて、各受信機が第１帯域のための複数の低雑音増幅器と第２帯域のための複数の低雑音増幅器を備え、
そしてここにおいて、各低雑音増幅器が第１段階の増幅器と第２段階の増幅を備える、［Ｃ１］の前記無線通信デバイス。
［Ｃ４］前記第１段階の増幅器が相互コンダクタンス段階であって、そしてここにおいて、前記第２段階の増幅器がカスコード段階である、［Ｃ３］の前記無線通信デバイス。
［Ｃ５］前記第１帯域がローバンドであり、かつ前記第２帯域がミッドバンドである、［Ｃ３］の前記無線通信デバイス。
［Ｃ６］前記第１帯域がローバンドであり、かつ前記第２帯域がハイバンドである、［Ｃ３］の前記無線通信デバイス。
［Ｃ７］前記第１帯域がミッドバンドであり、かつ前記第２帯域がハイバンドである、［Ｃ３］の前記無線通信デバイス。
［Ｃ８］第１ルーティングは、第１の１次同相／直交信号を取得するために、前記１次アンテナから前記第１の１次受信機まで用いられ、
ここにおいて、第２ルーティングは、第１の２次同相／直交信号を取得するために、前記１次アンテナから前記第１の２次受信機まで用いられ、
ここにおいて、第３ルーティングは、第２の１次同相／直交信号を取得するために、前記２次アンテナから前記第２の１次受信機まで用いられ、
そしてここにおいて、第４ルーティングは、第２の２次同相／直交信号を取得するために、前記２次アンテナから前記第２の２次受信機まで用いられる、［Ｃ３］の前記無線通信デバイス。
［Ｃ９］前記１次信号分割キャリア・アグリゲーション・アーキテクチャと前記２次信号分割キャリア・アグリゲーション・アーキテクチャはインターバンドオペレーション中であり、
ここにおいて、前記第２ルーティングは第１の信号分割段階を通過し、
そしてここにおいて、前記第４ルーティングは第２の信号分割段階を通過する、［Ｃ８］の前記無線通信デバイス。
［Ｃ１０］前記第１の信号分割段階は、前記第１の１次受信機の第１帯域の低雑音増幅器内の第１段階の増幅器から出力された信号を前記第１の２次受信機の第２帯域の低雑音増幅器内の第２段階の増幅器へ転送する、［Ｃ９］の前記無線通信デバイス。
［Ｃ１１］前記第２の信号分割段階は、前記第２の１次受信機の第１帯域の低雑音増幅器内の第１段階の増幅器から出力された信号を第２の２次受信機の第２帯域の低雑音増幅器内の第２段階の増幅器に転送する、［Ｃ９］の前記無線通信デバイス。
［Ｃ１２］前記第１の信号分割段階は、前記第１の１次受信機の第１帯域の低雑音増幅器内の第２段階の増幅器から出力された信号を前記第１の２次受信機内の混合器に転送する、［Ｃ９］の前記無線通信デバイス。
［Ｃ１３］前記第２の信号分割段階は、前記第２の１次受信機の第１帯域の低雑音増幅器内の第２段階の増幅器から出力された信号を前記第２の２次受信機内の混合器に転送する、［Ｃ９］の前記無線通信デバイス。
［Ｃ１４］前記１次信号分割キャリア・アグリゲーション・アーキテクチャと前記２次信号分割キャリア・アグリゲーション・アーキテクチャが、イントラバンドオペレーション中であり、
ここにおいて、前記第２ルーティングは第１の信号分割段階を通過し、
そしてここにおいて、前記第４ルーティングは第２の信号分割段階を通過する、［Ｃ８］の前記無線通信デバイス。
［Ｃ１５］前記第１の信号分割段階は、前記第１の１次受信機の第１帯域の低雑音増幅器内の第１段階の増幅器から出力された信号を分割し、前記信号を前記第１の１次受信機の前記第１帯域の低雑音増幅器内の第２段階の増幅器に転送し、そして前記信号を前記第１の２次受信機の第２帯域の低雑音増幅器内の第２段階の増幅器に転送する、［Ｃ１４］の前記無線通信デバイス。
［Ｃ１６］前記第２の信号分割段階は、前記第２の１次受信機の第１帯域の低雑音増幅器内の第１段階の増幅器から出力された信号を分割し、前記信号を前記第２の１次受信機の前記第１帯域の低雑音増幅器内の第２段階の増幅器に転送し、そして前記信号を前記第２の２次受信機の第２帯域の低雑音増幅器内の第２段階の増幅器に転送する、［Ｃ１４］の前記無線通信デバイス。
［Ｃ１７］前記第１の信号分割段階は、前記第１の１次受信機の第１帯域の低雑音増幅器内の第２段階の増幅器から出力された信号を分割し、前記信号を前記第１の１次受信機の第１の混合器に転送し、そして前記信号を前記第２の１次受信機の第２の混合器に転送する、［Ｃ１４］の前記無線通信デバイス。
［Ｃ１８］前記第２の信号分割段階は、前記第２の１次受信機の第１帯域の低雑音増幅器内の第２段階の増幅器から出力された信号を分割し、前記信号を前記第２の１次受信機の第１の混合器に転送し、そして前記信号を前記第２の１次受信機の第２の混合器に転送する、［Ｃ１４］の前記無線通信デバイス。
［Ｃ１９］１次信号分割キャリア・アグリゲーション・アーキテクチャと２次信号分割キャリア・アグリゲーション・アーキテクチャを用いて複数のキャリア信号を受信するための方法であって、
１次アンテナを用いて第１信号を受信することと、
第１の１次同相／直交信号を取得するために、前記１次信号分割キャリア・アグリゲーション・アーキテクチャにおける送受信機チップ上の第１の１次受信機を経由して前記第１信号を転送することと、
第１の２次同相／直交信号を取得するために、前記送受信機チップ上の第１の２次受信機を経由して前記第１信号を転送することと、
２次アンテナを用いて第２信号を受信することと、
第２の１次同相／直交信号を取得するために、前記２次信号分割キャリア・アグリゲーション・アーキテクチャにおける受信機チップ上の第２の１次受信機を経由して前記第２信号を転送することと、
第２の２次同相／直交信号を取得するために、前記受信機チップ上の第２の２次受信機を経由して前記第１信号を転送することと、
を備える方法。
［Ｃ２０］前記１次信号分割キャリア・アグリゲーション・アーキテクチャと前記２次信号分割キャリア・アグリゲーション・アーキテクチャは４つのアンテナ、電力スプリッタ、外付けの低雑音増幅器、またはダイからダイへの信号ルーティングを必要としない、［Ｃ１９］の前記方法。
［Ｃ２１］各受信機は第１帯域のための複数の低雑音増幅器および第２帯域のための複数の低雑音増幅器を備え、そしてここにおいて、各低雑音増幅器は第１段階の増幅器および第２段階の増幅を備える、［Ｃ１９］の前記方法。
［Ｃ２２］前記第１段階の増幅器は相互コンダクタンス段階であり、そしてここにおいて、前記第２段階の増幅器はカスコード段階である、［Ｃ２１］の前記方法。
［Ｃ２３］前記第１帯域はローバンドであり、かつ前記第２帯域はミッドバンドである、［Ｃ２１］の前記方法。
［Ｃ２４］前記第１帯域はローバンドであり、かつ前記第２帯域はハイバンドである、［Ｃ２１］の前記方法。
［Ｃ２５］前記第１帯域はミッドバンドであり、かつ前記第２帯域はハイバンドである、［Ｃ２１］の前記方法。
［Ｃ２６］第１ルーティングは、前記第１の１次同相／直交信号を取得するために、前記１次アンテナから前記第１の１次受信機まで用いられ、
ここにおいて、第２ルーティングは、前記第１の２次同相／直交信号を取得するために前記１次アンテナから前記第１の２次受信機まで用いられ、
ここにおいて、第３ルーティングは、前記第２の１次同相／直交信号を取得するために、前記２次アンテナから前記第２の１次受信機まで用いられ、
そしてここにおいて、第４ルーティングは、第２の２次同相／直交信号を取得するために、前記２次アンテナから前記第２の２次受信機まで用いられる、［Ｃ２１］の前記方法。
［Ｃ２７］前記１次信号分割キャリア・アグリゲーション・アーキテクチャと前記２次信号分割キャリア・アグリゲーション・アーキテクチャはインターバンドオペレーション中であり、ここにおいて、前記第２ルーティングは第１の信号分割段階を通過し、そしてここにおいて、前記第４ルーティングは第２の信号分割段階を通過する、［Ｃ２６］の前記方法。
［Ｃ２８］前記第１の信号分割段階は、前記第１の１次受信機の第１帯域の低雑音増幅器内の第１段階の増幅器から出力された信号を前記第１の２次受信機の第２帯域の低雑音増幅器内の第２段階の増幅器に転送する、［Ｃ２７］の前記方法。
［Ｃ２９］前記第２の信号分割段階は、前記第２の１次受信機の第１帯域の低雑音増幅器内の第１段階の増幅器から出力された信号を前記第２の２次受信機の第２帯域の低雑音増幅器内の第２段階の増幅器に転送する、［Ｃ２７］の前記方法。
［Ｃ３０］前記第１の信号分割段階は、前記第１の１次受信機の第１帯域の低雑音増幅器内の第２段階の増幅器から出力された信号を前記第１の２次受信機内の混合器に転送する、［Ｃ２７］の前記方法。
［Ｃ３１］前記第２の信号分割段階は、前記第２の１次受信機の第１帯域の低雑音増幅器内の第２段階の増幅器から出力された信号を前記第２の２次受信機内の混合器に転送する、［Ｃ２７］の前記方法。
［Ｃ３２］前記１次信号分割キャリア・アグリゲーション・アーキテクチャと前記２次信号分割キャリア・アグリゲーション・アーキテクチャはイントラバンドオペレーション中であり、ここにおいて、前記第２ルーティングは第１の信号分割段階を通過し、そしてここにおいて、前記第４ルーティングは第２の信号分割段階を通過する、［Ｃ２６］の前記方法。
［Ｃ３３］前記第１の信号分割段階は、前記第１の１次受信機の第１帯域の低雑音増幅器内の第１段階の増幅器から出力された信号を分割し、前記信号を前記第１の１次受信機の前記第１帯域の低雑音増幅器内の第２段階の増幅器に転送し、そして前記信号を前記第１の２次受信機の第２帯域の低雑音増幅器内の第２段階の増幅器に転送する、［Ｃ３２］の前記方法。
［Ｃ３４］前記第２の信号分割段階は、前記第２の１次受信機の第１帯域の低雑音増幅器内の第１段階の増幅器から出力された信号を分割し、前記信号を前記第２の１次受信機の前記第１帯域の低雑音増幅器内の第２段階の増幅器に転送し、そして前記信号を前記第２の２次受信機の第２帯域の低雑音増幅器内の第２段階の増幅器に転送する、［Ｃ３２］の前記方法。
［Ｃ３５］前記第１の信号分割段階は、前記第１の１次受信機の第１帯域の低雑音増幅器内の第２段階の増幅器から出力された信号を分割し、前記信号を前記第１の１次受信機の第１の混合器に転送し、そして前記信号を前記第２の１次受信機の第２の混合器に転送する、［Ｃ３２］の前記方法。
［Ｃ３６］前記第２の信号分割段階は、前記第２の１次受信機の第１帯域の低雑音増幅器内の第２段階の増幅器から出力された信号を分割し、前記信号を前記第２の１次受信機の第１の混合器に転送し、そして前記信号を前記第２の１次受信機の第２の混合器に転送する、［Ｃ３２］の前記方法。
［Ｃ３７］１次信号分割キャリア・アグリゲーション・アーキテクチャと２次信号分割キャリア・アグリゲーション・アーキテクチャを用いて複数のキャリア信号を受信するための装置であって、
１次アンテナを用いて第１信号を受信するための手段と、
第１の１次同相／直交信号を取得するために、前記１次信号分割キャリア・アグリゲーション・アーキテクチャにおける送受信機チップ上の第１の１次受信機を経由して、前記第１信号を転送するための手段と、
第１の２次同相／直交信号を取得するために、前記送受信機チップ上の第１の２次受信機を経由して、前記第１信号を転送するための手段と、
２次アンテナを用いて第２信号を受信するための手段と、
第２の１次同相／直交信号を取得するために、前記２次信号分割キャリア・アグリゲーション・アーキテクチャにおける受信機チップ上の第２の１次受信機を経由して、前記第２信号を転送するための手段と、
第２の２次同相／直交信号を取得するために、前記受信機チップ上の第２の２次受信機を経由して、前記第１信号を転送するための手段と、
を備える装置。
［Ｃ３８］前記１次信号分割キャリア・アグリゲーション・アーキテクチャと前記２次信号分割キャリア・アグリゲーション・アーキテクチャは４つのアンテナ、電力スプリッタ、外付けの低雑音増幅器、またはダイからダイへの信号ルーティングを必要としない、［Ｃ３７］の前記装置。
［Ｃ３９］各受信機は、第１帯域のための複数の低雑音増幅器および第２帯域のための複数の低雑音増幅器を備え、そしてここにおいて、各低雑音増幅器は、第１段階と第２段階を備える、［Ｃ３７］の前記装置。
［Ｃ４０］第１ルーティングは、前記第１の１次同相／直交信号を取得するために、前記１次アンテナから前記第１の１次受信機まで用いられ、ここにおいて、第２ルーティングは、前記第１の２次同相／直交信号を取得するために、前記１次アンテナから前記第１の２次受信機まで用いられ、ここにおいて、第３ルーティングは、前記第２の１次同相／直交信号を取得するために、前記２次アンテナから前記第２の１次受信機まで用いられ、そしてここにおいて、第４ルーティングは、第２の２次同相／直交信号を取得するために、前記２次アンテナから前記第２の２次受信機まで用いられる、［Ｃ３９］の前記装置。
【図１】
0005784828.tif 000002
【図２】
0005784828.tif 000003
【図３】
0005784828.tif 000004
【図４】
0005784828.tif 000005
【図５】
0005784828.tif 000006
【図６】
0005784828.tif 000007
【図７】
0005784828.tif 000008
【図８】
0005784828.tif 000009
【図９】
0005784828.tif 000010
【図１０】
0005784828.tif 000011
【図１１】
0005784828.tif 000012
【図１２】
0005784828.tif 000013
【図１３】
0005784828.tif 000014
【図１４】
0005784828.tif 000015
【図１５】
0005784828.tif 000016